(57)【要約】      （修正有）【課題】無線通信システムのためのシグナリングデータとトラフィックデータとを別個の搬送波上に分離するための方法、システム、およびデバイスを提供する。【解決手段】フレキシブル波形を利用することによって、通常波形にフィットするほど大きくない可能性があるスペクトルの部分を利用できるフレキシブル帯域幅を利用する。割り当てられたリソースを異なるトラフィックパターンに合わせてカスタマイズできるように、シグナリングとデータトラフィックとを異なるフレキシブル帯域幅搬送波に分離する。シグナリングデータを他のトラフィックデータなしに第１の帯域搬送波上で受信および／または送信し、シグナリングデータと関連付けられたトラフィックデータおよび／またはネットワークデータを別個の第２の搬送波上で受信および／または送信する。【選択図】図４
2019004473.tif 000002
【特許請求の範囲】
【請求項１】
シグナリングデータを第１の搬送波上で受信することと、
前記シグナリングデータを前記第１の搬送波上で受信することからトラフィックデータを第２の搬送波上で少なくとも送信または受信することに遷移させることと
を備える、無線通信の方法。
【請求項２】
前記トラフィックデータを前記第２の搬送波上で少なくとも送信または受信することから前記シグナリングデータを前記第１の搬送波上で受信することへの遷移を行うこと
をさらに備える、請求項１に記載の方法。
【請求項３】
前記トラフィックデータを前記第２の搬送波上で少なくとも送信または受信することから前記トラフィックデータを第３の搬送波上で少なくとも送信または受信することに遷移させること
をさらに備える、請求項１に記載の方法。
【請求項４】
前記シグナリングデータを前記第１の搬送波上で受信することから前記シグナリングデータを第４の搬送波上で受信することに遷移させること
をさらに備える、請求項２に記載の方法。
【請求項５】
シグナリングデータを前記第１の搬送波上で送信すること
をさらに備える、請求項１に記載の方法。
【請求項６】
前記第１の搬送波が前記第２の搬送波に関する情報を搬送する、請求項１に記載の方法。
【請求項７】
前記シグナリングデータを前記第１の搬送波上で受信すること、および前記トラフィックデータを前記第２の搬送波上で少なくとも送信または受信することがモバイルデバイスで生じる、請求項１に記載の方法。
【請求項８】
少なくとも前記第１の搬送波または前記第２の搬送波がフレキシブル帯域幅搬送波を備える、請求項１に記載の方法。
【請求項９】
前記第１の搬送波が第１の帯域幅を利用し、前記第２の搬送波が第２の帯域幅を利用する、請求項１に記載の方法。
【請求項１０】
第１のスケーリング係数を利用して、前記第１の帯域幅をスケーリングすることと、
第２のスケーリング係数を利用して、前記第２の帯域幅をスケーリングすることと
をさらに備える、請求項９に記載の方法。
【請求項１１】
少なくとも前記第１の帯域幅または前記第２の帯域幅を動的に調整すること
をさらに備える、請求項１０に記載の方法。
【請求項１２】
少なくとも前記第１の帯域幅または前記第２の帯域幅を動的に調整することが、
少なくとも前記第１の帯域幅または前記第２の帯域幅を予測されるトラフィック需要に基づいて調整すること
を備える、請求項１１に記載の方法。
【請求項１３】
前記第１のスケーリング係数を利用して、少なくとも前記第１の帯域幅をスケーリングすること、または前記第２の係数を利用して、前記第２の帯域幅をスケーリングすることが、
異なるスケーリング係数を利用して、少なくとも前記第１の帯域幅もしくは前記第２の帯域幅について少なくともアップリンクまたはダウンリンクをスケーリングすること
をさらに備える、請求項９に記載の方法。
【請求項１４】
トラフィックデータを第１の搬送波上で少なくとも送信または受信することと、
シグナリングデータを他のトラフィックデータのいずれからも別に第２の搬送波上で送信することと
を備える、無線通信の方法。
【請求項１５】
前記トラフィックデータを前記第１の搬送波上でモバイルデバイスに少なくとも送信または受信することから前記シグナリングデータを前記第２の搬送波上で前記モバイルデバイスに送信することに遷移させること
をさらに備える、請求項１４に記載の方法。
【請求項１６】
前記シグナリングデータを前記第２の搬送波上で前記モバイルデバイスに送信することから前記トラフィックデータを前記第１の搬送波上で前記モバイルデバイスに少なくとも送信または受信することに遷移させること
をさらに備える、請求項１５に記載の方法。
【請求項１７】
前記トラフィックデータを前記第１の搬送波上で少なくとも送信または受信すること、および前記シグナリングデータを前記第２の搬送波上で送信することへの遷移を行うこと
をさらに備える、請求項１４に記載の方法。
【請求項１８】
前記第２の搬送波が少なくとも前記第１の搬送波に関する情報を搬送する
請求項１４に記載の方法。
【請求項１９】
シグナリングデータを前記第２の搬送波上で受信すること
をさらに備える、請求項１４に記載の方法。
【請求項２０】
少なくとも前記第１の搬送波または前記第２の搬送波がフレキシブル帯域幅搬送波を備える、請求項１４に記載の方法。
【請求項２１】
前記第１の帯域幅および前記第２の帯域幅が共通のスケーリング係数を利用する、請求項２０に記載の方法。
【請求項２２】
少なくとも前記第１の搬送波または前記第２の搬送波が通常の帯域幅搬送波を備える、請求項２０記載の方法。
【請求項２３】
前記トラフィックデータを少なくとも送信または受信すること、または前記シグナリングデータを送信することが、少なくともシグナリング容量、トラフィック容量、またはページング容量を増加させる、請求項１４に記載の方法。
【請求項２４】
前記シグナリングデータが、トラフィックデータを前記第１の搬送波上で送信するために必要であることも、必要でないこともある、少なくともブロードキャストメッセージ、システム情報ページング、同期、パイロットデータ、セル構成パラメータ、ページ、またはオペレータ特定情報を備える、請求項１４に記載の方法。
【請求項２５】
前記トラフィックデータが、前記トラフィックデータを支援するために、少なくともユーザデータまたは制御情報を備える、請求項１４に記載の方法。
【請求項２６】
前記第２の搬送波がアイドルモードに関して使用され、前記第１の帯域幅搬送波が接続モードに関して利用される、請求項１４に記載の方法。
【請求項２７】
前記第１の搬送波内および前記第２の搬送波内のユーザが、少なくともコード、時間、または周波数によって分離される、請求項１４に記載の方法。
【請求項２８】
前記第１の搬送波上のユーザが前記第２の搬送波上のユーザとは異なって分離される、請求項１４に記載の方法。
【請求項２９】
前記第１の搬送波内のユーザが時間によって分離され、前記第２の搬送波上の前記ユーザが周波数によって分離される、請求項２８に記載の方法。
【請求項３０】
前記第１の搬送波がＦＤＤを利用し、前記第２の搬送波がＴＤＤを利用する、請求項１４に記載の方法。
【請求項３１】
少なくとも前記第１の搬送波または前記第２の搬送波が、少なくともコード、時間、または周波数を利用して、順方向リンク伝送と逆方向リンク伝送とを分離する、請求項１４に記載の方法。
【請求項３２】
前記第１の搬送波および前記第２の搬送波が、異なる方式で順方向リンク伝送と逆方向リンク伝送とを分離する、請求項３１に記載の方法。
【請求項３３】
前記第１の搬送波の帯域幅が第１のスケーリング係数を利用してスケーリングされ、前記第２の搬送波の帯域幅が第２のスケーリング係数を利用してスケーリングされる、請求項１４に記載の方法。
【請求項３４】
少なくとも前記第１のスケーリング係数または前記第２のスケーリング係数が動的に調整される、請求項３３に記載の方法。
【請求項３５】
少なくとも前記第１のスケーリング係数または前記第２のスケーリング係数を動的に調整することが、予測されるトラフィック需要に基づく、請求項３４に記載の方法。
【請求項３６】
トラフィックデータを第３の搬送波上で少なくとも送信または受信することと、
シグナリングデータを前記第２の搬送波上で送信することをさらに備え、前記第２の搬送波が少なくとも前記第１の搬送波または前記第３の搬送波に関する情報を搬送する、請求項１４に記載の方法。
【請求項３７】
トラフィックデータを第３の搬送波上で少なくとも送信または受信することと、
シグナリングデータを第４の搬送波上で送信することをさらに備え、前記第４の搬送波が少なくとも前記第１の搬送波または前記第３の搬送波に関する情報を搬送し、前記第２の搬送波が少なくとも前記第１の搬送波または前記第３の搬送波に関する情報を搬送する、請求項１４に記載の方法。
【請求項３８】
少なくとも前記トラフィックデータもしくは前記シグナリングデータを少なくとも送信または受信することが基地局で生じる、請求項１４に記載の方法。
【請求項３９】
少なくとも前記トラフィックデータもしくは前記シグナリングデータを少なくとも送信または受信することがモバイルデバイスで生じる、請求項１４に記載の方法。
【請求項４０】
シグナリングデータを第１の搬送波上で受信するための手段と、
シグナリングデータを前記第１の搬送波上で受信することからトラフィックデータを第２の搬送波上で少なくとも送信または受信することに遷移させるための手段と
を備える無線通信システム。
【請求項４１】
前記トラフィックデータを前記第２の搬送波上で少なくとも送信または受信することから前記シグナリングデータを前記第１の搬送波上で受信することへの遷移を行うための手段
をさらに備える、請求項４０に記載の無線通信システム。
【請求項４２】
前記第１の搬送波が第１の帯域幅を利用し、前記第２の搬送波が第２の帯域幅を利用し、
第１のスケーリング係数を利用して、前記第１の帯域幅をスケーリングするための手段と、
第２のスケーリング係数を利用して、前記第２の帯域幅をスケーリングするための手段と
をさらに備える、請求項４０に記載の無線通信システム。
【請求項４３】
少なくとも前記第１のスケーリング係数または前記第２のスケーリング係数を動的に調整するための手段
をさらに備える、請求項４２に記載の無線通信システム。
【請求項４４】
少なくとも前記第１のスケーリング係数または前記第２のスケーリング係数を動的に調整するための前記手段が、
少なくとも前記第１のスケーリング係数または前記第２のスケーリング係数を予測されるトラフィック需要に基づいて調整するための手段
を備える、請求項４３に記載の無線通信システム。
【請求項４５】
シグナリングデータを第１の搬送波上で受信するためのコードと、
シグナリングデータを前記第１の搬送波上で受信することからトラフィックデータを第２の搬送波上で少なくとも送信または受信することに遷移させるためのコードと
を備えた非一時的コンピュータ可読媒体
を備える、無線通信システムのためのコンピュータプログラム製品。
【請求項４６】
前記非一時的コンピュータ可読媒体が、
前記トラフィックデータを前記第２の搬送波上で少なくとも送信または受信することから前記シグナリングデータを前記第１の搬送波上で受信することへの遷移を行うためのコードをさらに備える、請求項４５に記載のコンピュータプログラム製品。
【請求項４７】
前記非一時的コンピュータ可読媒体が、
第１のスケーリング係数を利用して、前記第１の搬送波の帯域幅をスケーリングするためのコードと、
第２のスケーリング係数を利用して、前記第２の搬送波の帯域幅をスケーリングするためのコードと
をさらに備える、請求項４５に記載のコンピュータプログラム製品。
【請求項４８】
前記非一時的コンピュータ可読媒体が、
少なくとも前記第１のスケーリング係数または前記第２のスケーリング係数を動的に調整するためのコード
をさらに備える、請求項４７に記載のコンピュータプログラム製品。
【請求項４９】
少なくとも前記第１のスケーリング係数または前記第２のスケーリング係数を動的に調整するためのコードをさらに備えた前記非一時的コンピュータ可読媒体が、
少なくとも前記第１のスケーリング係数または前記第２のスケーリング係数を予測されるトラフィック需要に基づいて調整するためのコードをさらに備える、請求項４８に記載のコンピュータプログラム製品。
【請求項５０】
シグナリングデータを第１の搬送波上で受信し、
シグナリングデータを前記第１の搬送波上で受信することからトラフィックデータを第２の搬送波上で少なくとも送信または受信することに遷移させるように構成された、少なくとも１つのプロセッサと、
前記少なくとも１つのプロセッサと結合された、少なくとも１つのメモリと
を備える無線通信デバイス。
【請求項５１】
前記少なくとも１つのプロセッサが、
前記トラフィックデータを前記第２の搬送波上で少なくとも送信または受信することから前記シグナリングデータを前記第１の搬送波上で受信することへの遷移を行うようにさらに構成される、請求項５０に記載の無線通信デバイス。
【請求項５２】
前記少なくとも１つのプロセッサが、
第１のスケーリング係数を利用して、前記第１の搬送波の帯域幅をスケーリングし、
第２のスケーリング係数を利用して、前記第２の搬送波の帯域幅をスケーリングするようにさらに構成される、請求項５０に記載の無線通信デバイス。
【請求項５３】
前記少なくとも１つのプロセッサが、
少なくとも前記第１のスケーリング係数または前記第２のスケーリング係数を動的に調整するようにさらに構成される、請求項５２に記載の無線通信デバイス。
【請求項５４】
前記少なくとも１つのプロセッサが、少なくとも前記第１のスケーリング係数または前記第２のスケーリング係数を動的に調整することを行うように構成され、
少なくとも前記第１のスケーリング係数または前記第２のスケーリング係数を予測されるトラフィック需要に基づいて調整するようにさらに構成される、請求項５３に記載の無線通信デバイス。
【請求項５５】
トラフィックデータを第１の搬送波上で少なくとも送信または受信するための手段と、
シグナリングデータを他のトラフィックデータのいずれからも別に第２の搬送波上で送信するための手段と
を備える無線通信システム。
【請求項５６】
前記トラフィックデータを前記第１の搬送波上でモバイルデバイスに少なくとも送信または受信することから前記シグナリングデータを前記第２の搬送波上で前記モバイルデバイスに送信することに遷移させるための手段をさらに備える、請求項５５に記載の無線通信システム。
【請求項５７】
前記シグナリングデータを前記第２の搬送波上で前記モバイルデバイスに送信することから前記トラフィックデータを前記第１の搬送波上で前記モバイルデバイスに少なくとも送信または受信することに遷移させるための手段をさらに備える、請求項５６に記載の無線通信システム。
【請求項５８】
前記トラフィックデータを前記第１の搬送波上で少なくとも送信または受信すること、およびシグナリングデータを前記第２の搬送波上で送信することへの遷移を行うための手段をさらに備える、請求項５５に記載の無線通信システム。
【請求項５９】
前記トラフィックデータを第３の搬送波上で少なくとも送信または受信するための手段と、
シグナリングデータを前記第２の搬送波上で送信するための手段であって、前記第２の搬送波が少なくとも前記第１の搬送波または前記第２の搬送波に関する情報を搬送する、送信するための手段と
をさらに備える、請求項５５に記載の無線通信システム。
【請求項６０】
トラフィックデータを第１の搬送波上で少なくとも送信または受信するためのコードと、
シグナリングデータを他のトラフィックデータのいずれからも別に第２の搬送波上で送信するためのコードと
を備えた非一時的コンピュータ可読媒体を備える、無線通信システムのためのコンピュータプログラム製品。
【請求項６１】
前記非一時的コンピュータ可読媒体が、
前記トラフィックデータを前記第１の搬送波上でモバイルデバイスに少なくとも送信または受信することから前記シグナリングデータを前記第２の搬送波上で前記モバイルデバイスに送信することに遷移させるためのコードをさらに備える、請求項６０に記載のコンピュータプログラム製品。
【請求項６２】
前記非一時的コンピュータ可読媒体が、
前記シグナリングデータを前記第２の搬送波上で前記モバイルデバイスに送信することから前記トラフィックデータを前記第１の搬送波上で前記モバイルデバイスに少なくとも送信または受信することに遷移させるためのコードをさらに備える、請求項６１に記載の無線通信システム。
【請求項６３】
前記非一時的コンピュータ可読媒体が、
前記トラフィックデータを前記第１の搬送波上で少なくとも送信または受信すること、およびシグナリングデータを前記第２の搬送波上で送信することへの遷移を行うためのコードをさらに備える、請求項６０に記載のコンピュータプログラム製品。
【請求項６４】
前記非一時的コンピュータ可読媒体が、
トラフィックデータを第３の搬送波上で少なくとも送信または受信するためのコードと、
シグナリングデータを前記第２の搬送波上で送信するためのコードであって、前記第２の搬送波が少なくとも前記第１の搬送波または前記第３の搬送波に関する情報を搬送する、送信するためのコードと
をさらに備える請求項６０に記載のコンピュータプログラム製品。
【請求項６５】
トラフィックデータを第１の搬送波上で少なくとも送信または受信し、
シグナリングデータを他のトラフィックデータのいずれからも別に第２の搬送波上で送信するように構成された、少なくとも１つのプロセッサと、
前記少なくとも１つのプロセッサに結合された、少なくとも１つのメモリと
を備える無線通信デバイス。
【請求項６６】
前記少なくとも１つのプロセッサが、
前記トラフィックデータを前記第１の搬送波上でモバイルデバイスに少なくとも送信または受信することから前記シグナリングデータを前記第２の搬送波上で前記モバイルデバイスに送信することに遷移させるようにさらに構成される、請求項６５に記載の無線通信デバイス。
【請求項６７】
前記少なくとも１つのプロセッサが、
前記シグナリングデータを前記第２の搬送波上で前記モバイルデバイスに送信することから前記トラフィックデータを前記第１の搬送波上で前記モバイルデバイスに送信することに遷移させるようにさらに構成される、請求項６６に記載の無線通信デバイス。
【請求項６８】
前記少なくとも１つのプロセッサが、
前記トラフィックデータを前記第１の搬送波上で少なくとも送信または受信すること、およびシグナリングデータを前記第２の搬送波上で送信することへの遷移を行うようにさらに構成される、請求項６５に記載の無線通信デバイス。
【請求項６９】
前記少なくとも１つのプロセッサが、
トラフィックデータを第３の搬送波上で少なくとも送信または受信することと、
シグナリングデータを前記第２の搬送波上で送信することであって、前記第２の搬送波が少なくとも前記第１の搬送波または前記第３の搬送波に関する情報を搬送する、送信することと
を行うようにさらに構成される、請求項６５に記載の無線通信デバイス。
【発明の詳細な説明】
【技術分野】
【０００１】
相互関連出願
本特許出願は、２０１１年１１月７日に出願され、本譲受人に譲渡され、参照により本明細書に明示的に組み込まれ、「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」と題された仮出願第６１／５５６、７７７号への優先権を主張する。また、本特許出願は、２０１１年１２月９日に出願され、本譲受人に譲渡され、参照により本明細書に明示的に組み込まれ、「ＳＩＧＮＡＬ  ＣＡＰＡＣＩＴＹ  ＢＯＯＳＴＩＮＧ、ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ、ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題された仮出願第６１／５６８、７４２号への優先権を主張する。
【背景技術】
【０００２】
無線通信システムは、音声、ビデオ、パケットデータ、メッセージング、ブロードキャストメッセージなど、様々なタイプの通信コンテンツを提供するために広く展開されている。これらシステムは、利用可能なシステムリソース（例えば、時間、周波数、および電力）を共有することによって、複数のユーザとの通信をサポートできる多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標））システム、および直交周波数分割多元接続（ＯＦＤＭＡ）システムがある。
【０００３】
サービスプロバイダは、ある地理的領域内で独占的に使用するための複数ブロックの周波数スペクトルを通常割り振られる。これらブロックの周波数は、一般に、使用されている多元接続技術にかかわらず、レギュレータ(regulators)によって割り当てられる。多くの場合、これらブロックはチャネル帯域幅の整数倍ではなく、このためスペクトルの不使用部分があり得る。無線デバイスの使用が増加するにつれて、一般に、このスペクトルの需要および価値が同様に急増してきた。それにもかかわらず、割り振られたスペクトルの一部が標準、すなわち通常波形にフィット(fit)するほど大きくないので、場合によって、無線通信システムがこれら部分を利用しないことがある。例えば、ＬＴＥ標準の開発者は、この問題を認識し、６つの異なるシステム帯域幅、すなわち、１．４ＭＨｚ、３ＭＨｚ、５ＭＨｚ、１０ＭＨｚ、１５ＭＨｚ、および２０ＭＨｚをサポートすることを決定した。これは、この問題に対する１つの部分的解決策を提供できる。別の手法は、通常波形にフィットするほど大きくない可能性があるスペクトルの部分を利用する無線通信システムを伴い得るフレキシブル帯域幅システムを利用することであってよい。しかし、フレキシブル帯域幅システムは、シグナリングチャネル上または他のチャネル上で低下されたデータレートをもたらし得る。
【発明の概要】
【０００４】
無線通信システムのためのシグナリングデータとトラフィックデータとを別個の搬送波に分離するための方法、システム、およびデバイスが提供される。いくつかの実施形態は、フレキシブル帯域幅を利用した結果として、シグナリングチャネル上または他のチャネル上で低下されたデータレートのような低下容量の課題に対処する。いくつかの実施形態は、無線通信システムにおける容量を増強することを提供する。例えば、場合によってフレキシブル帯域幅搬送波であってよい異なる搬送波にシグナリングおよびデータトラフィックを分離することが、割り当てられたリソースを異なるトラフィックパターンに対してカスタマイズ可能にするために利用され得る。いくつかの実施形態では、シグナリングデータが他のトラフィックデータのいずれからも別に第１の搬送波上で受信および／または送信される。例えば、シグナリングデータは他のトラフィックデータなしに第１の搬送波上で受信および／または送信され得る。トラフィックデータは第２の搬送波上で送信および／または受信され得る。トラフィックデータはシグナリングデータと関連付けられ得る。第１の搬送波および／または第２の搬送波はフレキシブル帯域幅搬送波であってよい。いくつかの実施形態は第１の搬送波と第２の搬送波との間で遷移させることを提供する。いくつかの実施形態は、第１の搬送波と第２の搬送波とを利用する遷移を行うことを提供する。
【０００５】
フレキシブル帯域幅システムは、フレキシブル波形を利用する通常波形にフィットするほど大きくないかもしれないスペクトルの部分を利用する無線通信システムに関連し得る。フレキシブル帯域幅システムは、通常の搬送波帯域幅システムに対してフレキシブル帯域幅システムの時間またはチップレートを拡大（dilating）またはスケールダウン(scaling down)することで、通常の帯域幅システムに対して生成され得る。いくつかの実施形態は、フレキシブル搬送波帯域幅システムの時間またはチップレートを拡大(expanding)またはスケールアップ(scaling up)することによってフレキシブル波形の帯域幅を増大させる。
【０００６】
いくつかの実施形態は、シグナリングデータを第１の搬送波上で受信すること、および／またはシグナリングデータを第１の搬送波上で受信することからトラフィックデータを第２の搬送波上で少なくとも送信または受信することに遷移させることを含む無線通信の方法を含む。いくつかの実施形態は、トラフィックデータを第２の搬送波上で少なくとも送信または受信することからシグナリングデータを第１の搬送波上で受信することへの遷移を行うことを含む。いくつかの実施形態は、トラフィックデータを第２の搬送波上で少なくとも送信または受信することからトラフィックデータを第３の搬送波上で少なくとも送信または受信することに遷移させることを含む。いくつかの実施形態は、シグナリングデータを第１の搬送波上で受信することからシグナリングデータを第４の搬送波上で受信することに遷移させることを含む。いくつかの実施形態では、シグナリングデータが第１の搬送波上で送信される。いくつかの実施形態では、第１の搬送波が第２の搬送波に関する情報を搬送する。シグナリングデータを第１の搬送波上で受信すること、およびトラフィックデータを第２の搬送波上で少なくとも送信または受信することはモバイルデバイスで生じ得る。
【０００７】
いくつかの実施形態では、少なくとも第１の搬送波または第２の搬送波がフレキシブル帯域幅搬送波を含む。いくつかの実施形態では、第１の搬送波が第１の帯域幅を利用し、第２の搬送波が第２の帯域幅を利用する。いくつかの実施形態は、第１のスケーリング係数を利用して、第１の帯域幅をスケーリングすること、および／または第２のスケーリング係数を利用して、第２の帯域幅をスケーリングすることを含む。少なくとも第１の帯域幅または第２の帯域幅は動的に調整され得る。少なくとも第１の帯域幅または第２の帯域幅を動的に調整することは、少なくとも第１の帯域幅または第２の帯域幅を予測されるトラフィック需要に基づいて調整することを含み得る。いくつかの実施形態では、少なくとも、第１のスケーリング係数を利用して第１の帯域幅をスケーリングすること、または第２の係数を利用して第２の帯域幅をスケーリングすることが、異なるスケーリング係数を利用して、少なくとも第１の帯域幅もしくは第２の帯域幅について少なくともアップリンクまたはダウンリンクをスケーリングすることを含む。
【０００８】
いくつかの実施形態は、トラフィックデータを第１の搬送波上で少なくとも送信または受信すること、および／またはシグナリングデータを他のトラフィックデータのいずれからも別に第２の搬送波上で送信することを含む無線通信の方法を含む。いくつかの実施形態は、トラフィックデータを第１の搬送波上でモバイルデバイスに少なくとも送信または受信することからシグナリングデータを第２の搬送波上でモバイルデバイスに送信することに遷移させることを含む。いくつかの実施形態は、シグナリングデータを第２の搬送波上でモバイルデバイスに送信することからトラフィックデータを第１の搬送波上でモバイルデバイスに少なくとも送信または受信することに遷移させることを含む。いくつかの実施形態は、トラフィックデータを第１の搬送波上で少なくとも送信または受信すること、およびシグナリングデータを第２の搬送波上で送信することへの遷移を行うことを含む。いくつかの実施形態では、第２の搬送波が少なくとも第１の搬送波に関する情報を搬送する。いくつかの実施形態は、シグナリングデータを第２の搬送波上で受信することを含む。
【０００９】
いくつかの実施形態では、少なくとも第１の搬送波または第２の搬送波がフレキシブル帯域幅搬送波を含む。第１の帯域幅および第２の帯域幅は共通のスケーリング係数を利用できる。少なくとも第１の搬送波または第２の搬送波は通常の帯域幅搬送波を含み得る。
【００１０】
いくつかの実施形態では、トラフィックデータを少なくとも送信または受信すること、またはシグナリングデータを送信することが、少なくともシグナリング容量、トラフィック容量、またはページング容量を増強する。いくつかの実施形態では、第１の搬送波上でトラフィックデータを送信するために必要であったり、なかったりする、少なくともブロードキャストメッセージ、システム情報ページング、同期、パイロットデータ、セル構成パラメータ、ページ、またはオペレータ特定情報をシグナリングデータが含む。トラフィックデータは、トラフィックデータを支援するために少なくともユーザデータまたは制御情報を含み得る。
【００１１】
いくつかの実施形態では、第２の搬送波がアイドルモード(idle mode)のために利用され、第１の帯域幅搬送波が接続モード(connected mode)のために利用される。いくつかの実施形態では、第１の搬送波内および第２の搬送波の範囲内の複数のユーザが少なくともコード、時間、または周波数によって分離される。第１の搬送波上の複数のユーザは第２の搬送波上の複数のユーザとは異なるように分離され得る。第１の搬送波の範囲内の複数のユーザは時間によって分離され、第２の搬送波上の複数のユーザは周波数によって分離され得る。
【００１２】
いくつかの実施形態では、第１の搬送波がＦＤＤを利用し、第２の搬送波がＴＤＤを利用する。いくつかの実施形態では、少なくとも第１の搬送波または第２の搬送波が、少なくともコード、時間、または周波数を利用して順方向リンク伝送と逆方向リンク伝送とを分離する。第１の搬送波および第２の搬送波は異なる方式で順方向リンク伝送と逆方向リンク伝送とを分離し得る。
【００１３】
いくつかの実施形態では、第１の搬送波の帯域幅が第１のスケーリング係数を利用してスケーリングされ、第２の搬送波の帯域幅が第２のスケーリング係数を利用してスケーリングされる。少なくとも第１のスケーリング係数または第２のスケーリング係数は動的に調整され得る。少なくとも第１のスケーリング係数または第２のスケーリング係数を動的に調整することは、予測されるトラフィック需要に基づき得る。
【００１４】
いくつかの実施形態は、トラフィックデータを第３の搬送波上で少なくとも送信または受信すること、および／またはシグナリングデータを第２の搬送波上で送信することを含む。第２の搬送波は少なくとも第１の搬送波または第３の搬送波に関する情報を搬送できる。いくつかの実施形態は、トラフィックデータを第３の搬送波上で少なくとも送信または受信すること、および／またはシグナリングデータを第４の搬送波上で送信することを含む。第４の搬送波は少なくとも第１の搬送波または第３の搬送波に関する情報を搬送でき、第２の搬送波は少なくとも第１の搬送波または第３の搬送波に関する情報を搬送できる。
【００１５】
いくつかの実施形態では、少なくともトラフィックデータもしくはシグナリングデータを少なくとも送信または受信することが基地局で生じる。いくつかの実施形態では、少なくともトラフィックデータもしくはシグナリングデータを少なくとも送信または受信することがモバイルデバイスで生じる。
【００１６】
いくつかの実施形態は、シグナリングデータを第１の搬送波上で受信するための手段と、シグナリングデータを第１の搬送波上で受信することからトラフィックデータを第２の搬送波上で少なくとも送信または受信することに遷移させるための手段とを含む無線通信システムを含む。いくつかの実施形態は、トラフィックデータを第２の搬送波上で少なくとも送信または受信することからシグナリングデータを第１の搬送波上で受信することへの遷移を行うための手段を含む。
【００１７】
いくつかの実施形態では、第１の搬送波は第１の帯域幅を利用し、第２の搬送波は第２の帯域幅を利用する。いくつかの実施形態は、第１のスケーリング係数を利用して、第１の帯域幅をスケーリングするための手段、および／または第２のスケーリング係数を利用して、第２の帯域幅をスケーリングするための手段を含むこともできる。いくつかの実施形態は、少なくとも第１のスケーリング係数または第２のスケーリング係数を動的に調整するための手段を含む。少なくとも第１のスケーリング係数または第２のスケーリング係数を動的に調整するための手段は、少なくとも第１のスケーリング係数または第２のスケーリング係数を予測されるトラフィック需要に基づいて調整するための手段を含むことができる。
【００１８】
いくつかの実施形態は、シグナリングデータを第１の搬送波上で受信するためのコード、および／またはシグナリングデータを第１の搬送波上で受信することからトラフィックデータを第２の搬送波上で少なくとも送信または受信することに遷移させるためのコードを含む非一時的コンピュータ可読媒体を含む、無線通信システムのためのコンピュータプログラム製品を含む。
【００１９】
非一時的コンピュータ可読媒体は、トラフィックデータを第２の搬送波上で少なくとも送信または受信することからシグナリングデータを第１の搬送波上で受信することへの遷移を行うためのコードを含むことができる。非一時的コンピュータ可読媒体は、第１のスケーリング係数を利用して、第１の搬送波の帯域幅をスケーリングするためのコード、および／または第２のスケーリング係数を利用して、第２の搬送波の帯域幅をスケーリングするためのコードを含むことができる。非一時的コンピュータ可読媒体は、少なくとも第１のスケーリング係数または第２のスケーリング係数を動的に調整するためのコードを含むことができる。少なくとも第１のスケーリング係数または第２のスケーリング係数を動的に調整するためのコードを含む非一時的コンピュータ可読媒体は、少なくとも第１のスケーリング係数または第２のスケーリング係数を予測されるトラフィック需要に基づいて調整するためのコードを含むことができる。
【００２０】
いくつかの実施形態は、シグナリングデータを第１の搬送波上で受信すること、および／またはシグナリングデータを第１の搬送波上で受信することからトラフィックデータを第２の搬送波上で少なくとも送信または受信することに遷移させるように構成された、少なくとも１つのプロセッサを含む無線通信デバイスを含む。このデバイスは、少なくとも１つのプロセッサに結合された少なくとも１つのメモリを含むこともできる。少なくとも１つのプロセッサは、トラフィックデータを第２の搬送波上で少なくとも送信または受信することからシグナリングデータを第１の搬送波上で受信することへの遷移を行うように構成できる。この少なくとも１つのプロセッサは、第１のスケーリング係数を利用して、第１の搬送波の帯域幅をスケーリングし、かつ／または第２のスケーリング係数を利用して、第２の搬送波の帯域幅をスケーリングするように構成できる。この少なくとも１つのプロセッサは、少なくとも第１のスケーリング係数または第２のスケーリング係数を動的に調整するように構成できる。少なくとも第１のスケーリング係数または第２のスケーリング係数を動的に調整するように構成された、この少なくとも１つのプロセッサは、少なくとも第１のスケーリング係数または第２のスケーリング係数を予測されるトラフィック需要に基づいて調整するように構成できる。
【００２１】
いくつかの実施形態は、トラフィックデータを第１の搬送波上で少なくとも送信または受信するための手段、および／またはシグナリングデータを他のトラフィックデータのいずれからも別に第２の搬送波上で送信するための手段を含む無線通信システムを含む。このシステムは、トラフィックデータを第１の搬送波上でモバイルデバイスに少なくとも送信または受信することからシグナリングデータを第２の搬送波上でモバイルデバイスに送信することに遷移させるための手段を含むことができる。このシステムは、シグナリングデータを第２の搬送波上でモバイルデバイスに送信することからトラフィックデータを第１の搬送波上でモバイルデバイスに少なくとも送信または受信することに遷移させるための手段を含むことができる。いくつかの実施形態は、トラフィックデータを第１の搬送波上で少なくとも送信または受信すること、およびシグナリングデータを第２の搬送波上で送信することへの遷移を行うための手段を含む。いくつかの実施形態は、トラフィックデータを第３の搬送波上で少なくとも送信または受信するための手段、および／またはシグナリングデータを第２の搬送波上で送信するための手段を含む。第２の搬送波は、少なくとも第１の搬送波または第２の搬送波に関する情報を含むことができる。
【００２２】
いくつかの実施形態は、トラフィックデータを第１の搬送波上で少なくとも送信または受信するためのコード、および／またはシグナリングデータを他のトラフィックデータのいずれからも別に第２の搬送波上で送信するためのコードを含む非一時的コンピュータ可読媒体を含む、無線通信システムのためのコンピュータプログラム製品を含む。この非一時的コンピュータ可読媒体は、トラフィックデータを第１の搬送波上でモバイルデバイスに少なくとも送信または受信することからシグナリングデータを第２の搬送波上でモバイルデバイスに送信することに遷移させるためのコードを含むことができる。いくつかの実施形態は、シグナリングデータを第２の搬送波上でモバイルデバイスに送信することからトラフィックデータを第１の搬送波上でモバイルデバイスに少なくとも送信または受信することに遷移させるためのコードを含む。この非一時的コンピュータ可読媒体は、トラフィックデータを第１の搬送波上で少なくとも送信または受信すること、およびシグナリングデータを第２の搬送波上で送信することへの遷移を行うためのコードを含むことができる。この非一時的コンピュータ可読媒体は、トラフィックデータを第３の搬送波上で少なくとも送信または受信するためのコード、および／またはシグナリングデータを第２の搬送波上で送信するためのコードを含むことが可能であり、第２の搬送波搬送波は少なくとも第１の搬送波または第３の搬送波に関する情報を搬送する。
【００２３】
いくつかの実施形態は、トラフィックデータを第１の搬送波上で少なくとも送信または受信し、かつ／またはシグナリングデータを他のトラフィックデータのいずれからも別に第２の搬送波上で送信するように構成された、少なくとも１つのプロセッサを含む無線デバイスを含む。デバイスは、少なくとも１つのプロセッサに結合された少なくとも１つのメモリを含むことができる。この少なくとも１つのプロセッサは、トラフィックデータを第１の搬送波上でモバイルデバイスに少なくとも送信または受信することからシグナリングデータを第２の搬送波上でモバイルデバイスに送信することに遷移させるように構成できる。この少なくとも１つのプロセッサは、シグナリングデータを第２の搬送波上でモバイルデバイスに送信することからトラフィックデータを第１の搬送波上でモバイルデバイスに送信することに遷移させるように構成できる。この少なくとも１つのプロセッサは、トラフィックデータを第１の搬送波上で少なくとも送信または受信すること、およびシグナリングデータを第２の搬送波上で送信することへの遷移を行うように構成できる。この少なくとも１つのプロセッサは、トラフィックデータを第３の搬送波上で少なくとも送信または受信し、かつ／またはシグナリングデータを第２の搬送波上で送信するように構成できる。第２の搬送波は少なくとも第１の搬送波または第３の搬送波に関する情報を搬送できる。
【００２４】
前述の説明は、続く詳細な説明がより良く理解され得るように、本開示による例の特徴および技術的利点を多少広く概説している。追加の特徴および利点は以下で説明される。本開示の同じ目的を果たすために他の構造を修正または設計するための基礎として、開示される概念および特定の例を容易に利用できる。そのような同等の構造は、添付の請求項の趣旨および範囲から逸脱しない。本明細書で開示される概念に特有であると思われる特徴は、その組織と動作の方法の両方に関して、関連する利点とともに、添付の図面と関連付けて考慮されるとき、以下の説明からより良く理解されよう。これら図面の各々は、特許請求の範囲の限定を定義するものとしてではなく、例示および説明のためだけに提供される。
【図面の簡単な説明】
【００２５】
以下の図面を参照することによって、本発明の性質および利点のさらなる理解を実現できる。添付の図面では、類似した構成要素または特徴は同じ参照ラベルを有する場合がある。さらに、同じタイプの様々な構成要素は、ダッシュ記号と、類似の構成要素を区別する第２のラベルとによって参照ラベルをたどることによって区別できる。第１の参照ラベルだけが明細書で使用される場合、その説明は、第２の参照ラベルにかかわらず、同じ第１の参照ラベルを有する類似の構成要素のうちのいずれか１つに適応できる。
【図１】様々な実施形態による無線通信システムのブロック図。
【図２Ａ】様々な実施形態による、フレキシブル波形が通常波形にフィットするほど十分広くないスペクトルの部分にフィットする無線通信システムの例を示す図。
【図２Ｂ】様々な実施形態による、フレキシブル波形が帯域の境界線に近接するスペクトルの部分にフィットする無線通信システムの例を示す図。
【図３】様々な実施形態による無線通信システムのブロック図。
【図４】様々な実施形態による、信号フレキシブル帯域幅搬送波（signal flexible bandwidth carrier）およびトラフィックフレキシブル帯域幅搬送波（traffic flexible bandwidth carrier）の例を示す図。
【図５Ａ】様々な実施形態による、シグナリングデータとトラフィックデータとを結合させる例を示す図。
【図５Ｂ】様々な実施形態による、シグナリングデータとトラフィックデータとをそれぞれ信号フレキシブル帯域幅搬送波とトラフィックフレキシブル帯域幅搬送波とにスプリットする例を示す図。
【図６Ａ】様々な実施形態による、シグナリングフレキシブル帯域幅搬送波割当てとトラフィックフレキシブル帯域幅搬送波割当てとに関する、異なるＷＣＤＭＡ（登録商標）リリース９９チャネルおよびモバイルデバイス（ＵＥ）無線リソース制御（ＲＲＣ）状態を反映する表。
【図６Ｂ】様々な実施形態による、シグナリングデータおよびトラフィックデータを異なるフレキシブル帯域幅搬送波上に分離する結果として生じる、解放された（freed-up）ＷＣＤＭＡリリース９９チャネルを反映する表。
【図７Ａ】様々な実施形態による、信号搬送波が異なるトラフィック搬送波に情報を提供する例を示す図。
【図７Ｂ】様々な実施形態による、信号搬送波が異なるトラフィック搬送波に情報を提供する例を示す図。
【図７Ｃ】様々な実施形態による、信号搬送波が異なるトラフィック搬送波に情報を提供する例を示す図。
【図７Ｄ】様々な実施形態による、信号搬送波が異なるトラフィック搬送波に情報を提供する例を示す図。
【図７Ｅ】様々な実施形態による、信号搬送波が異なるトラフィック搬送波に情報を提供する例を示す図。
【図８】様々な実施形態による、容量増加機能性を含むデバイスのブロック図。
【図９】様々な実施形態によるモバイルデバイスのブロック図。
【図１０】様々な実施形態による、容量増加機能性を含むデバイスのブロック図。
【図１１】様々な実施形態による無線通信システムのブロック図。
【図１２】様々な実施形態による、基地局とモバイルデバイスとを含む無線通信システムのブロック図。
【図１３Ａ】様々な実施形態による、無線通信システム内の容量を増加させるための方法の流れ図。
【図１３Ｂ】様々な実施形態による、無線通信システム内の容量を増加させるための方法の流れ図。
【図１４Ａ】様々な実施形態による、無線通信システム内の容量を増加させるための方法の流れ図。
【図１４Ｂ】様々な実施形態による、無線通信システム内の容量を増加させるための方法の流れ図。
【発明を実施するための形態】
【００２６】
詳細な説明
無線通信システムに関して、シグナリングデータとトラフィックデータとを別個の搬送波に分離するための方法、システム、およびデバイスが提供される。いくつかの実施形態は、フレキシブル帯域幅を利用する結果として、シグナリングチャネル上または他のチャネル上で低下されたデータレートのような低下容量の課題に対処する。いくつかの実施形態は、無線通信システム内の容量を増加させることを実現する。例えば、割り当てられたリソースを異なるトラフィックパターン向けにカスタマイズできるように、シグナリングとデータトラフィックとを、場合によってはフレキシブル帯域幅搬送波であってよい、異なる搬送波に分離することを利用できる。いくつかの実施形態では、シグナリングデータは、他のトラフィックデータのいずれからも別に第１の搬送波上で受信および／または送信される。例えば、シグナリングデータを他のトラフィックデータなしに第１の搬送波上で受信および／または送信できる。トラフィックデータを第２の搬送波上で送信および／または受信できる。トラフィックデータをシグナリングデータと関連付けることができる。第１の搬送波および／または第２の搬送波は、フレキシブル帯域幅搬送波であってよい。いくつかの実施形態は、第１の搬送波と第２の搬送波との間で遷移させることを提供する。いくつかの実施形態は、第１の搬送波と第２の搬送波とを利用するための遷移を行うことを提供する。
【００２７】
フレキシブル帯域幅システムは、フレキシブル波形を利用する通常波形にフィットするほど大きくない可能性があるスペクトルの部分を利用する無線通信システムに関連し得る。フレキシブル帯域幅システムは、通常の搬送波帯域幅システムに対してフレキシブル帯域幅システムの時間またはチップレートを拡大（dilating）またはスケールダウン(scaling down)することによって、通常の帯域幅に関して生成できる。いくつかの実施形態は、フレキシブル搬送波帯域幅システムの時間またはチップレートを拡大、すなわち、増大することによって、フレキシブル波形の帯域幅を増大させる。
【００２８】
本明細書で説明される技法を、ＣＤＭＡシステム、ＴＤＭＡシステム、ＦＤＭＡシステム、ＯＦＤＭＡシステム、ＳＣ−ＦＤＭＡシステム、ピアツーピアシステム、および他のシステムなど、様々な無線通信システムに関して使用できる。「システム」および「ネットワーク」という用語は、多くの場合、交換可能に使用される。ＣＤＭＡシステムは、ＣＤＭＡ２０００、地上波無線アクセス（ＵＴＲＡ）などの無線技術を実施できる。ＣＤＭＡ２０００は、ＩＳ−２０００標準と、ＩＳ−９５標準と、ＩＳ−８５６標準とをカバーする。ＩＳ−２０００リリース０およびＡは、通例、ＣＤＭＡ２０００  １Ｘなどと呼ばれる。ＩＳ−８５６（ＴＩＡ−８５６）は、通例、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ）とＣＤＭＡの他の変形とを含む。ＴＤＭＡシステムは、広域移動通信システム（ＧＳＭ（登録商標））などの無線技術を実施できる。ＯＦＤＭＡシステムまたはＯＦＤＭシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭなどの無線技術を実施できる。ＵＴＲＡおよびＥ−ＵＴＲＡは、ユニバーサル移動通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用する、ＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と名付けられた組織からの文書で説明されている。ＣＤＭＡ２０００およびＵＭＢは、「第３世代パートナーシッププロジェクト２」（３ＧＰＰ２）と名付けられた組織からの文書で説明されている。本明細書で説明される技法は、上述のシステムおよび無線技術、ならびに他のシステムおよび無線技術に関して使用できる。
【００２９】
従って、以下の説明は、請求項に記載される範囲、適用可能性、または構成の限定ではなく、例を提供する。本開示の趣旨および範囲から逸脱せずに、議論される要素の機能および構成を変更できる。様々な実施形態は、必要に応じて、様々な手順もしくは構成要素を省略、置換、または追加できる。例えば、説明される方法は、説明される順序とは異なる順序で行われてよく、様々なステップを追加すること、省略すること、または組み合わせることができる。また、ある実施形態に関して説明される特徴を他の実施形態内に組み合わせることができる。
【００３０】
まず図１を参照すると、様々な実施形態による無線通信システム１００の例を示すブロック図である。システム１００は、基地局１０５と、モバイルデバイス１１５と、基地局コントローラ１２０と、コアネットワーク１３０とを含む（いくつかの実施形態では、コントローラ１２０をコアネットワーク１３０内に統合することが可能であり、いくつかの実施形態では、コントローラ１２０を基地局１０５内に統合できる）。システム１００は、複数の搬送波（異なる周波数の波形信号）上の動作をサポートできる。マルチキャリア送信機は、変調信号を複数の搬送波上で同時に送信できる。各変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであってよい。各変調信号は、異なる搬送波上で送信可能であり、制御情報（例えば、パイロット信号）、オーバヘッド情報、データなどを搬送できる。システム１００は、ネットワークリソースを効率的に割り当てることができるマルチキャリアＬＴＥネットワークであってよい。
【００３１】
モバイルデバイス１１５は、任意のタイプの移動局、モバイルデバイス、アクセス端末、加入者ユニット、またはユーザ装置であってよい。モバイルデバイス１１５は、セルラ電話および無線通信デバイスを含むことができるが、携帯情報端末（ＰＤＡ）、スマートフォン、他のハンドヘルドデバイス、ネットブック、ノートブックコンピュータなどを含むこともできる。従って、モバイルデバイスという用語は、請求項を含めて、以下で、任意のタイプの無線通信デバイスまたはモバイル通信デバイスを含むように広く解釈されるべきである。
【００３２】
基地局１０５は、基地局アンテナを介してモバイルデバイス１１５と無線で通信できる。基地局１０５は、複数の搬送波を介して、コントローラ１２０の制御下でモバイルデバイス１１５と通信を行うように構成できる。基地局１０５サイトの各々は、該当の地理的領域に対して通信カバレッジを提供できる。いくつかの実施形態では、基地局１０５は、ノードＢ、ｅノードＢ、ホームノードＢ、および／またはホームｅノードＢと呼ばれる場合がある。本明細書で各基地局１０５に関するカバレッジ領域は、１１０−ａ、１１０−ｂ、または１１０−ｃとして識別される。基地局に関するカバレッジ領域を（図示されないが、カバレッジ領域の一部だけを構成する）セクタに分割できる。システム１００は、異なるタイプの基地局１０５（例えば、マクロ基地局、ミクロ基地局、フェムト基地局、および／またはピコ基地局）を含むことができる。
【００３３】
モバイルデバイス１１５、基地局１０５、コアネットワーク１３０、および／またはコントローラ１２０など、システム１００の異なる態様は、様々な実施形態による、フレキシブル帯域幅とフレキシブル波形とを利用するように構成できる。システム１００は、例えば、モバイルデバイス１１５と基地局１０５との間の伝送１２５を示す。伝送１２５は、モバイルデバイス１１５から基地局１０５へのアップリンク伝送および／もしくは逆方向リンク伝送、ならびに／または基地局１０５からモバイルデバイス１１５へのダウンリンク伝送および／もしくは順方向リンク伝送を含むことができる。伝送１２５は、フレキシブル波形および／または通常波形を含むことができる。通常波形は、レガシー波形および／または通常波形と呼ばれる場合もある。
【００３４】
モバイルデバイス１１５、基地局１０５、コアネットワーク１３０、および／またはコントローラ１２０など、システム１００の異なる態様は、様々な実施形態に従って、フレキシブル帯域幅と波形とを利用するように構成できる。例えば、システム１００の異なる態様は、通常波形にフィットするほど大きくない可能性があるスペクトルの一部を利用できる。モバイルデバイス１１５、基地局１０５、コアネットワーク１３０、および／またはコントローラ１２０などのデバイスは、フレキシブル帯域幅および／もしくはフレキシブル波形を生成ならびに／または利用するために、チップレートおよび／またはスケーリング係数を適用するように構成できる。システム１００のいくつかの態様は、通常のサブシステムの時間に対してフレキシブルサブシステムの時間を拡大（dilating）またはスケールダウン(scaling down)することによって（他のモバイルデバイス１１５および／または基地局１０５を使用して実施可能な）通常のサブシステムに関して生成され得る（あるモバイルデバイス１１５および／または基地局１０５などの）フレキシブルサブシステムを形成できる。
【００３５】
いくつかの実施形態では、モバイルデバイス１１５、基地局１０５、コアネットワーク１３０、および／またはコントローラ１２０など、システム１００の異なる態様は、シグナリング、ならびにトラフィックデータおよび／またはネットワークデータを、フレキシブルであり得る、異なる搬送波に分離するために構成される。これは、結果として、容量の増加をもたらすことができる。場合によっては、割り当てられたリソースを、分離の結果として、トラフィックパターンに合わせてカスタマイズできる。モバイルデバイス１１５および／または基地局１０５のうちのいくつかは、シグナリングデータを第１の搬送波上で受信し、次いで、シグナリングデータを第１の搬送波上で受信することからトラフィックデータを第２の搬送波上で送信および／または受信することに遷移させるように構成できる。場合によっては、トラフィックデータは信号データに対応し得る。第１の搬送波は第２の搬送波に関する情報を搬送できる。いくつかの実施形態では、シグナリングデータは、他のトラフィックデータのいずれからも別に第１の搬送波上で受信される。例えば、シグナリングデータを他のトラフィックデータなしに第１の搬送波上で受信できる。
【００３６】
モバイルデバイス１１５および／または基地局１０５のうちのいくつかは、第１のスケーリング係数を利用して、第１の搬送波の帯域幅をスケーリングし、第２のスケーリング係数を利用して、第２の搬送波の帯域幅をスケーリングするように構成できる。第１のスケーリング係数および第２のスケーリング係数は同じであっても、異なってもよい。スケーリング係数は単一であってよい。スケーリング係数を特定のフレキシブル帯域幅と関連付けることができる。モバイルデバイス１１５および／または基地局１０５のうちのいくつかは、少なくとも第１のスケーリング係数または第２のスケーリングを動的に調整できる。少なくとも第１のスケーリング係数または第２のスケーリング係数を動的に調整することは、少なくとも第１のスケーリング係数または第２のスケーリング係数を予測されるトラフィック需要に基づいて調整することを含むことができる。
【００３７】
いくつかの実施形態は、フレキシブル波形および／もしくは通常波形を生成できるモバイルデバイス１１５ならびに／または基地局１０５を含むことができる。フレキシブル波形は、通常波形よりもより小さな帯域幅を占有できる。例えば、帯域エッジで、通常波形を配置するには利用可能なスペクトルが十分存在しない場合がある。フレキシブル波形の場合、いくつかの実施形態では、時間が広がる(dilated)につれて、波形によって占有された周波数は下がり、それにより、通常波形にフィットするほど広くない可能性があるスペクトルに、フレキシブル波形をフィットせることが可能になる。いくつかの実施形態では、スケーリング係数を使用することによって、フレキシブル波形を生成することもできる。他の実施形態は、レートまたはチップレートを変更すること（例えば、拡散係数を変更し得る）によって、スペクトルの一部にフィットするようにフレキシブル波形を生成できる。いくつかの実施形態は、チップレートを変更するための処理、またはスケーリング係数を利用するための処理の頻度を変更できる。処理の頻度を変更することは、補間率、中断率、および／またはデシメーション率を変更することを含むことができる。いくつかの実施形態では、フィルタリングによって、デシメーションによって、ならびに／またはＡＤＣ、ＤＡＣ、および／もしくはオフラインクロックの周波数を変更することによって、チップレートを変更すること、あるいはスケーリング係数を利用できる。少なくとも１つのクロックの周波数を変更するために分割器を使用できる。
【００３８】
いくつかの実施形態では、フレキシブルシステムまたはフレキシブル波形は、部分（fractional）システムまたは部分波形であってよい。部分システムおよび／または部分波形は、例えば、帯域幅を変更しても、変更しなくてもよい。部分システムまたは部分波形は通常のシステムもしくは波形よりもより多い可能性を提供するので、部分システムまたは部分波形はフレキシブルであり得る（例えば、Ｎ＝１のシステム）。通常のシステムまたは波形は、標準システムもしくは標準波形および／またはレガシーシステムもしくはレガシー波形を指す場合がある。
【００３９】
図２Ａは、様々な実施形態による、通常波形２２０−ａがフィットするほど広くないスペクトルの部分にフレキシブル波形２１０−ａがフィットする、基地局１０５−ａとモバイルデバイス１１５−ａとを有する無線通信システム２００−ａの例を示す。いくつかの実施形態は、複数のフレキシブル波形２１０を利用することもできる。いくつかの実施形態では、別の基地局および／またはモバイルデバイス（図示せず）は、通常波形２２０−ａおよび／またはフレキシブル波形２１０−ａを送信できる。いくつかの実施形態では、モバイルデバイス１１５−ａおよび／または基地局１０５−ａは、シグナリングとデータトラフィックとをフレキシブル波形２１０の異なる搬送波に分離するように構成できる。場合によっては、割り当てられたリソースを異なるトラフィックパターンに合わせてカスタマイズできるように、これを利用できる。図２Ｂは、フレキシブル波形２１０−ｂが、通常波形２２０−ｂがフィットできない保護帯域であってよい帯域の境界に近接するスペクトルの部分にフィットする、基地局１０５−ｂとモバイルデバイス１１５−ｂとを有する無線通信システム２００−ｂの例を示す。いくつかの実施形態では、モバイルデバイス１１５−ｂおよび／または基地局１０５−ｂは、シグナリングとデータトラフィックとを、フレキシブル波形２１０−ｂを利用できる異なる搬送波に分離するように構成できる。
【００４０】
図３は、様々な実施形態による、基地局１０５−ｃとモバイルデバイス１１５−ｃおよび１１５−ｄとを有する無線通信システム３００を示す。例えば、モバイルデバイス１１５−ｃ、モバイルデバイス１１５−ｄ、および／または基地局１０５−ｃのうちのいくつかは、シグナリングとデータトラフィックとを、場合によってはフレキシブル波形２１０を利用することが可能な異なる搬送波に分離するように構成できる。いくつかの実施形態では、モバイルデバイス１１５−ｃ、モバイルデバイス１１５−ｄ、および／または基地局１０５−ｃは、無線通信システム３００内の容量を増加させるために構成できる。伝送３０５−ａおよび／または３０５−ｂは、従って、シグナリングおよび／またはデータトラフィックが異なる搬送波に分離される伝送を含むことができる。モバイルデバイス１１５および／または基地局１０５のうちのいくつかは、シグナリングデータを第１の搬送波上で受信し、次いで、シグナリングデータを第１の搬送波上で受信することからトラフィックデータを第２の搬送波上で受信および／または送信することに遷移させるように構成できる。いくつかの実施形態では、シグナリングデータを他のトラフィックデータのいずれからも別に第１の帯域幅上で受信できる。例えば、シグナリングデータを他のトラフィックデータなしに第１の搬送波上で受信できる。
【００４１】
モバイルデバイス１１５−ｃ、モバイルデバイス１１５−ｄ、および／または基地局１０５−ｃのうちのいくつかは、第１のスケーリング係数を利用して、第１の搬送波の帯域幅をスケーリングし、第２のスケーリング係数を利用して、第２の搬送波の帯域幅をスケーリングするように構成できる。第１のスケーリング係数および第２のスケーリング係数は、同じであっても、異なってもよい。スケーリング係数を特定のフレキシブル帯域幅と関連付けることができる。モバイルデバイス１１５−ｃ、モバイルデバイス１１５−ｄ、および／または基地局１０５−ｃのうちのいくつかは、少なくとも第１のスケーリング係数または第２のスケーリング係数を動的に調整するように構成できる。少なくとも第１のスケーリング係数または第２のスケーリング係数を動的に調整することは、少なくとも第１のスケーリング係数または第２のスケーリング係数を予測されるトラフィック需要に基づいて調整することを含むことができる。
【００４２】
モバイルデバイス１１５−ｃ／１１５−ｄと基地局１０５−ａとの間の伝送３０５−ａおよび／または３０５−ｂは、通常波形よりもより小さな帯域幅を占有するために生成され得るフレキシブル波形を利用できる。例えば、帯域の境界に、通常波形を配置するには利用可能なスペクトルが十分存在しない場合がある。フレキシブル波形の場合、時間が広がる(dilated)につれて、波形によって占有される周波数は下がり、それにより、通常波形がフィットするほど広くない可能性があるスペクトルに、フレキシブル波形がフィットすることが可能になる。いくつかの実施形態では、フレキシブル波形は、通常波形に関して、スケーリング係数Ｎを利用してスケーリングできる。スケーリング係数Ｎは、１、２、４などの整数値を含むが、これに限定されない多数の異なる値をとることができる。しかし、Ｎは整数でなくてよい。
【００４３】
いくつかの実施形態は、追加の専門用語を利用する場合がある。新しい単位Ｄを利用できる。単位Ｄは広げられる(dilated)。この単位は、単位なしであり、Ｎの値を有する。「拡大時間(dilated time)」の点で、フレキシブルシステムの時間について語ることができる。例えば、正常時間の、例えば、１０ｍｓのスロットを、フレキシブル時間で１０Ｄｍsと表すことができる（注記。正常時間においても、これは当てはまるが、これは正常時間でＮ＝１であるためであり、Ｄは１の値を有し、従って、１０Ｄｍｓ＝１０ｍｓである）。時間スケーリングでは、大部分の「秒」を「拡大秒」で置換できる。ヘルツでは、周波数は毎秒１であることに留意されたい。
【００４４】
いくつかの実施形態は、フレキシブル帯域幅ネットワークを含めて、無線通信ネットワーク内で容量を増加させるための方法、システム、および／またはデバイスを含むことができる。フレキシブル帯域幅（ＦＢ）ネットワークは、シグナリングチャネル上で低下されたデータレートをもたらす場合がある。これは、ネットワーク内のデバイスの数が（例えば、百万単位で）高まることが予測されるマシン・ツー・マシン（Ｍ２Ｍ）タイプのアプリケーションに関する問題を引き起こす可能性がある、セル内のページングおよび／またはブロードキャスト容量の低下をもたらす場合がある。モバイルデバイスは、（特に、高いＮ、例えば、Ｎ＝１６の場合）フレキシブル帯域幅スケーリング係数Ｎによる時間伸縮（time stretching）により、ページング、ブロードキャストメッセージ、および／またはデータチャネルを獲得する際に遅延の増大を経験する場合がある。容量増加は、シグナリング容量、トラフィック容量、ネットワーク容量、および／またはページング容量を増加させることを含むことができる。
【００４５】
いくつかの実施形態は、割り当てられたリソースをトラフィックパターンに合わせてカスタマイズできるように、シグナリングおよびデータトラフィックを異なるフレキシブル帯域幅搬送波に分離することによって、これら課題に対処できる。図４は、様々な実施形態による、シグナリングおよびデータトラフィックを、信号フレキシブル帯域幅搬送波４１０とトラフィックフレキシブル帯域幅搬送波４２０とを含む、異なるフレキシブル帯域幅搬送波に分離するスペクトル図４００を示す。いくつかの実施形態では、シグナリング搬送波は、ブロードキャストチャネル情報および／またはページングチャネル情報を含むことができる。同期チャネル情報および／またはパイロットチャネル情報をシグナリングフレキシブル帯域幅搬送波上に含めることもできる。シグナリング搬送波は、トラフィックデータを第１の帯域幅搬送波上で送信するために必要とされる場合があり、もしくは必要とされない場合もあるセル構成パラメータ、ページ、および／またはオペレータ特定情報などの情報を含むことも可能であり、場合によっては、この信号データはネットワークデータと呼ばれてよい。トラフィックフレキシブル帯域幅搬送波は、トラフィックを支援するために、トラフィックデータおよび／または制御データを含むことができる。いくつかの実施形態では、トラフィックフレキシブル帯域幅搬送波は、パイロットチャネル情報および／または同期情報を含むことができる。提供される例では、一般に、シグナリングフレキシブル帯域幅搬送波および／またはトラフィックフレキシブル帯域幅搬送波を議論するが、いくつかの実施形態は、シグナリングおよびデータトラフィックを、通常の帯域幅搬送波を含むことも可能な、異なる帯域幅搬送波に分離することを含む場合もある。
【００４６】
図５Ａは、シグナリングとトラフィックとが結合されてよい例５００−ａを示す。組み合わされたシグナリングおよびトラフィック５１０は、通常の、すなわち、Ｎ＝１の帯域幅システムを示し、組み合わされたシグナリングおよびトラフィック５１５は、この例ではＮ＞１である、フレキシブル帯域幅システムを示す。これら２つの事例では、シグナリング情報およびトラフィック情報は、それぞれ、１個のコードおよびＫ−１個のコードを使用して搬送され得る。図５Ｂは、様々な実施形態による、シグナリングとトラフィックとをスプリットする例５００−ｂを示す。例５００−ｂは、Ｎ＞１であるフレキシブル帯域幅の使用を示す。この例では、Ｋ個のコードをシグナリングに割り当てることができるため、シグナリングはコード５２０−１、．．．、５２０−ｋを使用して搬送され得る。図５Ａおよび図５Ｂは、非フレキシブル帯域幅システム内のパケットの伝送時間が（伝送に関して１個のコードを使用して）Ｔｍｓかかる場合、同じパケットがスケール係数Ｎを用いてフレキシブル帯域幅システム内で送信されるとき、伝送がＮ×Ｔｍｓかかることを示す。ｋ個のコードをシグナリングに割り当てることができるように、シグナリング搬送波とデータ搬送波とが分離されるとき、同じパケットの伝送時間をＮ×Ｔ／ｋｍｓまで削減できる。図５Ｂは、フレーム構造またはスロット構造に基づく例を示すが、いくつかの実施形態は、メッセージ構造に基づいて実施できる。コードの代わりに、（例えば、ＣＤＭＡ２０００  １ＸＥＶ−ＤＯでは）時間または周波数（例えば、ＬＴＥ）に関して同様の類推を行うことができる。
【００４７】
シグナリングおよびデータトラフィックを、フレキシブル帯域幅搬送波などの、異なる搬送波に分離することは、異なる利点を提供し得る。例えば、実施形態は、トラフィックに関して前に確保された、かつ／もしくは割り振られていないコード、タイムスロット、ならびに／または周波数ビンを、このとき、シグナリングだけに割り振ることができるため、該当のフレキシブル帯域幅搬送波内で利用可能なシグナリング容量を増大させることができる。同様に、シグナリングに関して前に確保された、かつ／もしくは割り振られていないコード、タイムスロット、および／または周波数ビンを、このとき、トラフィックだけに割り振ることができるため、該当のフレキシブル帯域幅搬送波内で利用可能なトラフィック容量を増大させることができる。実施形態は、シグナリングおよび／またはトラフィックを獲得する際に、フレキシブル帯域幅モバイルデバイスの待機時間を（例えば、Ｋがシグナリングまたはトラフィックに関して前に解放されたチャネルの数である、Ｋ分の１に）削減することを実現できる。実施形態は、モバイルデバイスの待機時間を削減し、これは電力消費の削減をもたらすことができる。実施形態は、すべてのモバイルデバイス状態（例えば、シグナリング、（例えば、ＵＭＴＳ  ＲＲＣ  ＣＥＬＬ＿ＦＡＣＨ状態で送信される）非常に小型のパケット、または（例えば、ＵＭＴＳ  ＲＲＣ  ＣＥＬＬ＿ＤＣＨで送信される）より大型のパケット）に関するＮの適切な選択を可能にし得る。ＵＭＴＳリリース９９モバイルデバイスは、例えば、（場合によっては、ＩＤＬＥモードと呼ばれてよい）アイドルモード、または接続モードのいずれかであってよい。
【００４８】
アイドル状態は、一般に、専用コアネットワークおよび無線リソースはモバイルデバイスに利用可能ではないが、ブロードキャストシステム情報およびページなどのメッセージをモバイルデバイスに送信する際にネットワークによって共通のリソースが使用可能なユーザ状態であり得る。モバイルデバイスの位置は、ネットワークだけに知られることが可能であり、個々の搬送波またはセルに知られることはできない。この状態では、そのモバイルデバイス向けのモバイルへの呼（mobile terminated call）が存在するとき、無線リソースを要求するためにネットワークによってモバイルデバイスをページングできる。これらページを受信するために、モバイルデバイスは、間欠受信（ＤＲＸ）サイクルごとに、ページング時に送信されたページングチャネルを監視できる。ＩＤＬＥモードで、ＤＲＸサイクルは、６４０ｍｓから５１２０ｍｓの範囲に及ぶ場合がある。ページングチャネル監視に加えて、モバイルデバイスは、周期的チャネル測定、タイミングおよび周波数の獲得、周波数間検索および周波数内検索、ＲＡＴ間検索、ＵＳＩＭポーリング、周期的な位置更新の送信などの機能を行うこともできる。
【００４９】
接続モードは、ＵＲＡ＿ＰＣＨ／ＣＥＬＬ＿ＰＣＨ、ＣＥＬＬ＿ＦＡＣＨおよびＣＥＬＬ＿ＤＣＨなどの、４つの状態を含むことができる。ネットワークは、ＣＥＬＬ＿ＤＣＨ内またはＣＥＬＬ＿ＦＡＣＨ内でかなりの不活性期間の後、モバイルデバイスをＵＲＡ＿ＰＣＨおよびＣＥＬＬ＿ＰＣＨに遷移させることができる。これら状態からＣＥＬＬ＿ＤＣＨ／ＣＥＬＬ＿ＦＡＣＨに戻る遷移遅延は、ＩＤＬＥよりもずっと低い可能性があり、従って、何らかの不活性期間の後、モバイルデバイスがネットワークと通信することが予測されるとき、これらＲＲＣ状態が使用される。モバイルデバイスはページング時の間にページングだけを監視し、いかなるアップリンク伝送も行わないので、これら状態のモバイルデバイス機能はＩＤＬＥ状態に類似し得る。しかし、ＩＤＬＥ状態と異なり、モバイルデバイスは、割り当てられるが、維持されている無線リソースを有することができる。加えて、モバイルデバイス位置はＣＥＬＬ＿ＰＣＨ内でセルの解像度に対して知られることができるのに対して、ＵＲＡ＿ＰＣＨでは、モバイルデバイスはＵＴＲＡＮ登録領域（ＵＲＡ）レベルでコアネットワークに知られる。
【００５０】
ＣＥＬＬ＿ＦＡＣＨおよびＣＥＬＬ＿ＤＣＨは、モバイルデバイスがネットワークからデータをアクティブに送受信できる、２つの状態である。ＣＥＬＬ＿ＦＡＣＨ状態では、モバイルデバイスおよびネットワークは、セル内の他のモバイルデバイスによって共有される共通のリソースを使用できるのに対して、ＣＥＬＬ＿ＤＣＨでは、モバイルデバイスに割り当てられた専用リソースは通信のために使用される。モバイルデバイスがページング時の間だけチャネルを監視するＵＲＡ＿ＰＣＨ状態、ＣＥＬＬ＿ＰＣＨ状態、およびＩＤＬＥ状態と異なり、ＣＥＬＬ＿ＦＡＣＨおよびＣＥＬＬ＿ＤＣＨでは、モバイルデバイスは、ＷＣＤＭＡ／ＨＳＰＡリリース６、および以前のリリースでデータチャネルおよび制御チャネルを連続的に監視できる。
【００５１】
いくつかの実施形態では、異なる搬送波を異なるモバイルデバイス状態にマッピングできる。例えば、ＬＴＥでは、特に、シグナリング搬送波をアイドルモードに使用し、トラフィックを接続モードに使用できる。ＵＭＴＳでは、例えば、ＩＤＬＥモード、ＣＥＬＬ  ＦＡＣＨモード、ＣＥＬＬ  ＤＣＨモード、ＵＲＡ＿ＰＣＨモード、および／またはＣＥＬＬ＿ＰＣＨモードでデータを搬送するために異なる搬送波を使用できる。いくつかの実施形態では、ＩＤＬＥおよび／またはＵＲＡ＿ＰＣＨ／ＣＥＬＬ＿ＰＣＨを同じシグナリング搬送波内で搬送することができ（これらはモバイルデバイスがネットワークから情報を受信できるが、送信することはできない状態である）、ＣＥＬＬ＿ＤＣＨ状態および／またはＣＥＬＬ＿ＦＡＣＨ状態（モバイルデバイスがネットワークからデータをアクティブに送受信できる状態）を同じトラフィック搬送波内で搬送できる。
【００５２】
いくつかの実施形態では、シグナリング搬送波および／またはトラフィック搬送波に関するＮをネットワーク上で予測されるトラフィック需要に基づいて調整できる。シグナリングフレキシブル搬送波およびトラフィックフレキシブル搬送波は、同じＮを有することも、異なるＮを有することもできる（例えば、シグナリングフレキシブル帯域幅搬送波はフレキシブル帯域幅スケーリング係数、Ｎ＝４を使用することが可能であり、トラフィックフレキシブル帯域幅搬送波はフレキシブル帯域幅スケーリング係数、Ｎ＝２を使用できる）。複数のトラフィックフレキシブル帯域幅搬送波がシグナリングフレキシブル帯域幅搬送波を共有できる。あるサイト内の干渉または隣接するサイト間の干渉を軽減するように、シグナリング搬送波およびトラフィック搬送波Ｎと、周波数とを選択できる。
【００５３】
ＷＣＤＭＡと、その専門用語とを利用する例が提供される場合があるが、シグナリングとトラフィックとをフレキシブル帯域幅搬送波を含むことが可能な異なる搬送波に分離することを、１ｘ、ＥＶ  ＤＯ、ＬＴＥ、ＦＤＤ、ＴＤＤ、ＴＤ−ＬＴＥ、ＴＤ−ＳＣＤＭＡ、ＴＤ−ＣＤＭＡなどを含むが、これらに限定されないセルラ技術に適用できる。さらに、いくつかの実施形態は、典型的には、ダウンリンク伝送とアップリンク伝送の両方をサポートするために１つの搬送波が使用されるＴＤＤシステムを含むことができる。この場合、アップリンク伝送とダウンリンク伝送の両方に関して、シグナリング情報およびデータトラフィック情報は別個の搬送波上で搬送できる。いくつかの実施形態では、搬送波のうちの１つはＦＤＤであってよく、（例えば、ダウンリンクシグナリングに関して）もう１つはＴＤＤであってよい。さらに、シグナリング搬送波および／またはトラフィック搬送波がフレキシブル搬送波であってよい実施形態が概して説明されるが、いくつかの実施形態は、通常の搬送波を利用することが可能なシグナリング搬送波および／またはトラフィック搬送波を含むことができる。
【００５４】
単に例として、モバイルデバイスは、シグナリングフレキシブル帯域幅搬送波およびトラフィックフレキシブル帯域幅搬送波を利用することに関して、いくつかの異なる動作を行い得る。例えば、モバイルデバイスは、電源をオンにして、シグナリングフレキシブル帯域幅搬送波を聴取できる。場合によっては、モバイルデバイスは、モバイルデバイスが、シグナリング搬送波であってよい搬送波上にいつキャンプしている（camping）かを認識することができない。モバイルデバイスは、モバイルデバイスがアイドルモードで動作するのを可能にするためにブロードキャストされたシステム情報を含むことが可能なシステム情報を得ることができる）。モバイルデバイスは、次いで、シグナリングフレキシブル帯域幅搬送波を使用して、ネットワークに登録できる。モバイルデバイスは、ページを聴取して、他のシグナリングフレキシブル帯域幅搬送波および／またはトラフィックフレキシブル帯域幅搬送波を監視できる。シグナリング搬送波上にキャンプしている間、モバイルデバイスは、ページを受信できるか、または、場合によっては、モバイルデバイスが、選択されたフレキシブル帯域幅トラフィック搬送波にどのようにアクセスするにかについての特定の情報に関して接続モードシステム情報を読み取ることができるように、呼を発信することを望む場合がある。モバイルデバイスは、ＣＥＬＬ＿ＦＡＣＨ／ＣＥＬＬ＿ＤＣＨをサポートするフレキシブル帯域幅トラフィック搬送波に同調することができ、呼を行うため、および／または呼を受信するために、トラフィックチャネル上の無線リソースを要求できる。トラフィック搬送波上で、モバイルデバイスはフレキシブル帯域幅搬送波上でパケットデータもしくは音声データを送信および／または受信することができ、その呼が完了したとき、そのモバイルデバイスが遷移させることを意図する次の搬送波にアクセスするための支援データ（例えば、シグナリングフレキシブル帯域幅搬送波に関するタイミング情報）を要求および／または受信することもできる。呼が完了すると、モバイルデバイスはコアネットワークリソース（すなわち、ベアラ）を開放することができ、モバイルデバイスは、（ＩＤＬＥモードをサポートする）シグナリングフレキシブル帯域幅搬送波を再選択し、その上にキャンプできる。この例は、シグナリング搬送波がアイドルモードだけをサポートすることが可能であり、トラフィック搬送波がＣＥＬＬ＿ＦＡＣＨ状態／ＣＥＬＬ＿ＤＣＨ状態をサポートするＵＭＴＳ  ＷＣＤＭＡリリース９９シナリオに関する。いくつかの実施形態は、他の状態、分割および／またはグループ（例えば、あるクラスのオーバヘッドメッセージ、ページングなど）を利用できる。
【００５５】
いくつかの実施形態は、ＵＭＴＳを利用して実施できる。通常のＵＭＴＳ搬送波は、今日、同じ搬送波内のすべてのモバイルデバイス状態（すなわち、通常のＵＭＴＳ搬送波＝ＩＤＬＥ＋ＣＥＬＬ＿ＦＡＣＨ＋ＣＥＬ＿ＰＣＨ＋ＣＥＬＬ＿ＤＣＨ）をサポートする。いくつかの実施形態では、これら構成に対するサポートを提供する異なるシグナリング搬送波およびトラフィック搬送波が可能である。例えば、シグナリングはシグナリング搬送波上で生じ得る。いくつかの実施形態では、ＩＤＬＥ、ＵＲＡ＿ＰＣＨ、およびＣＥＬＬ＿ＰＣＨを別個のシグナリング搬送波上でサポートすることが可能であり、ＣＥＬＬ＿ＦＡＣＨ状態およびＣＥＬＬ＿ＤＣＨ状態を別個のトラフィック搬送波内でサポートすることもできる。いくつかの実施形態では、シグナリング搬送波は、ＩＤＬＥとＣＥＬＬ＿ＰＣＨ／ＵＲＡ＿ＰＣＨの両方を含むことが可能であり、トラフィック搬送波は、ＣＥＬＬ＿ＤＣＨ状態とＣＥＬＬ＿ＦＡＣＨ状態の両方を含むこともできる。
【００５６】
いくつかの実施形態は、シグナリング搬送波上にシグナリングと（特に、登録など、ＮＡＳ移動度に関する）小型パケット伝送とを含むことができる。それらの事例では、シグナリング搬送波は、ＩＤＬＥ状態とＣＥＬＬ＿ＦＡＣＨ状態の両方、またはＣＥＬＬ＿ＰＣＨ／ＵＲＡ＿ＰＣＨとＣＥＬＬ＿ＦＡＣＨの両方を含むことが可能であり、トラフィック搬送波は、ＣＥＬＬ  ＤＣＨ状態、ＣＥＬＬ＿ＦＡＣＨ状態、またはＣＥＬＬ＿ＤＣＨ状態とＣＥＬＬ＿ＦＡＣＨ状態の両方を含むことができる。いくつかの実施形態では、シグナリング搬送波は、ＩＤＬＥ、ＣＥＬＬ＿ＦＡＣＨ、およびＣＥＬ＿ＰＣＨ／ＵＲＡ＿ＰＣＨを含むことが可能であり、トラフィック搬送波は、ＣＥＬＬ＿ＤＣＨ、ＣＥＬＬ＿ＦＡＣＨ、またはＣＥＬＬ＿ＤＣＨおよびＣＥＬＬ＿ＦＡＣＨを含むことができる。シグナリング搬送波はＣＥＬＬ＿ＦＡＣＨをサポートできるが、ＣＥＬＬ＿ＦＡＣＨ状態専用のリソースは、ＩＤＬＥ／ＣＥＬＬ＿ＰＣＨ状態と比較して最小であり得ることに留意されたい。従って、中から高データレートの伝送を送信するためにモバイルデバイスが移動できるＣＥＬＬ＿ＦＡＣＨまたはＣＥＬＬ＿ＤＣＨを有する他のトラフィック搬送波が存在する場合がある。
【００５７】
図６Ａは、様々な実施形態による、チャネル機能６１５と一緒に、ＵＥ状態内のＷＣＤＭＡが必要とするリリース９９チャネル６１０、可能なフレキシブル帯域幅（ＦＢ）搬送波割当て６２０に関するＵＥ状態６０５を反映する表６００−ａを示す。図６Ｂは、様々な実施形態による、関連するＵＥ状態６２５および／またはフレキシブル帯域幅（ＦＢ）搬送波６３５と一緒に、シグナリングおよびトラフィックデータを分離することをもたらし得る、解放されたチャネル６３０を反映する表６００−ｂを示す。（これらの例では、ユーザ装置（ＵＥ）と呼ばれる）モバイルデバイス状態は、シグナリングおよび／またはトラフィックに関する、異なるフレキシブル帯域幅割当てに対応し得る。表６００−ｂでは、実施形態Ｉは、シグナリングフレキシブル帯域幅搬送波がＩＤＬＥ状態、ＣＥＬＬ＿ＰＣＨ状態、またはＵＲＡ＿ＰＣＨ状態だけをサポートできるシナリオを指す場合があることに留意されたい。実施形態ＩＩは、シグナリングフレキシブル搬送波が、ＩＤＬＥ状態、またはＣＥＬＬ＿ＰＣＨ／ＵＲＡ＿ＰＣＨ状態に加えて、ＣＥＬＬ＿ＦＡＣＨ状態をサポートできるシナリオを指す場合がある。
【００５８】
例えば、ＩＤＬＥモバイルデバイス状態は、様々な実施形態によるシグナリング搬送波を含むことができる。Ｐ−ＣＣＰＣＨ、ＰＩＣＨ＆Ｓ−ＣＣＰＣＨ、Ｐ−ＳＣＨ＆Ｓ−ＳＣＨ、および／またはＣＰＩＣＨを含めて、異なるチャネルをモバイルデバイス状態で利用できる。Ｐ−ＣＣＰＣＨチャネルは、Ｎ、周波数、他のシグナリング搬送波およびトラフィック搬送波のタイミング情報、それらの搬送波上のネットワーク負荷など、ブロードキャストされたシステム情報を含むことができる。ページ表示は、ＰＩＣＨ内およびＳ−ＣＣＰＣＨ内で送信可能であり、既存のリリース９９システムで行われるような、小型パケットとページとの間の共有ではなく、ページ専用であってよい。ＣＰＩＣＨは、同期およびデータ復調に必要とされる場合があるパイロットを搬送できる。いくつかの実施形態（例えば、実施形態ＩＩ）では、モバイルデバイス登録、更新の追跡、および／または小型パケット伝送に関して、小型パケット用のＰＲＡＣＨ＆Ｓ−ＣＣＰＣＨを追加できる。
【００５９】
ＣＥＬＬ＿ＦＡＣＨ状態は、シグナリング搬送波内および／またはトラフィック搬送波内でサポートされ得る。ＰＲＡＣＨ、ＡＩＣＨ＆Ｓ−ＣＣＰＣＨ、Ｐ／Ｓ−ＳＣＨ、および／またはＣＰＩＣＨを含めて、異なるチャネルをこのモバイルデバイス状態で利用できる。ＰＲＡＣＨ、ＡＩＣＨ＆Ｓ−ＣＣＰＣＨは、ＦＡＣＨを用いたランダムアクセス小型パケット伝送（random access small packet transmission）に必要とされる場合がある。ＣＥＬＬ＿ＦＡＣＨがトラフィックフレキシブル帯域幅搬送波内でサポートされるとき、他の搬送波から受信されるタイミング情報および／またはパイロットから導出されるタイミング情報の品質に応じて、Ｐ／Ｓ−ＳＣＨチャネルが必要とされる場合がある。ＣＰＩＣＨは、同期およびデータ復調に必要とされる場合があるパイロットを搬送できる。この状態のブロードキャスト情報は、トラフィックＣＥＬＬ＿ＦＡＣＨ搬送波内で直接モバイルデバイスに送信できる。
【００６０】
ＣＥＬＬ＿ＤＣＨ状態は、トラフィック搬送波を含むことができる。ＤＰＣＣＨ＆ＤＰＤＣＨ、Ｐ−ＳＣＨ／Ｓ−ＳＣＨ、および／またはＣＰＩＣＨを含めて、異なるチャネルをモバイルデバイス状態で利用できる。ＤＰＣＣＨ＆ＤＰＤＣＨ搬送波は、制御情報および／またはデータ情報を含むことができる。Ｐ−ＳＣＨ／Ｓ−ＳＣＨは、ＣＥＬＬ＿ＦＡＣＨ状態と同じ理由で必要とされる場合がある。ＤＰＤＣＨ内のパイロットが十分なデータ復調を可能にする場合、ＣＰＩＣＨは必要とされない場合がある。
【００６１】
ＵＲＡ＿ＰＣＨ／ＣＥＬＬ＿ＰＣＨ状態はシグナリング搬送波内でサポートされ得る。Ｐ−ＣＣＰＣＨ、ＰＩＣＨ／Ｓ−ＣＣＰＣＨ、および／またはＣＰＩＣＨを含めて、異なるチャネルをこのモバイルデバイス状態で利用できる。必要とされるチャネルは、アイドルモバイルデバイス状態におけるものと同じであってよい。モバイルデバイスがＣＥＬＬ＿ＦＡＣＨ／ＣＥＬＬ＿ＤＣＨをサポートするトラフィック搬送波からＵＲＡ＿ＰＣＨ／ＣＥＬＬ＿ＰＣＨをサポートするシグナリング搬送波に移動すると、無線リソースが維持され得ることに留意されたい。
【００６２】
いくつかの実施形態は、シグナリング搬送波からトラフィック搬送波への遷移のために構成できる。例えば、モバイルデバイスは、延長期間にわたって、シグナリング搬送波上にキャンプできる。モバイルデバイスは、シグナリング搬送波上にキャンプして、移動度を円滑にするために、他の搬送波を監視できる。モバイルデバイスは、他のシグナリング搬送波またはトラフィック搬送波のいずれかを監視できる。モバイルデバイスが現在のシグナリングフレキシブル帯域幅搬送波との接続を失う場合、モバイルデバイスは他のシグナリングフレキシブル帯域幅搬送波を監視できる。モバイルデバイスがモバイルからの（mobile originated）（ＭＯ）呼／モバイルへの（ＭＴ）呼を開始することを要望できる場合、モバイルデバイスは他のトラフィックフレキシブル帯域幅搬送波を監視できる。どのトラフィックフレキシブル帯域幅セルを測定するかの選択は、搬送波によってサポートされるＮ、搬送波ネットワーク負荷、および／またはモバイルデバイスの移動度に依存する場合があり、既存の設計で行われるように、それらの搬送波上で測定された信号品質に依存するとは限らない。
【００６３】
システム情報ブロックに関するブロードキャスト情報を介して、潜在的なシグナリング搬送波およびトラフィック搬送波に関する情報をモバイルデバイスに信号伝達できる。ネットワークは、加入およびデバイス性能に基づくなどの理由により、特定のトラフィック搬送波および／またはシグナリング搬送波に移動するようにモバイルデバイスに命令する、ページに添付されたリダイレクトメッセージを介して、モバイルデバイスをリダイレクトできる。そのようなリダイレクトメッセージは、Ｎおよび搬送波のタイミング情報を含むことができる。いくつかの実施形態では、搬送波情報（例えば、どのシグナリング搬送波上にキャンプするか）をモバイルデバイスに供給できる。
【００６４】
いくつかの実施形態は、トラフィック搬送波からシグナリング搬送波への遷移のために構成できる。例えば、モバイルデバイスは、データを送信している、またはトラフィック搬送波上の不活性期間を監視している場合がある。モバイルデバイスとネットワークとの間に無線接続が存在し得る。このシナリオでは、いくつかの実施形態は非監視モードを含む。モバイルデバイスがデータ送信の間に他のチャネルを測定するために離調することから生じるパフォーマンス劣化を回避するために、モバイルデバイスが他のチャネルを監視しないことを可能にできる。しかし、無線接続が解放される前に、トラフィック搬送波は、次にどのシグナリング搬送波および／またはトラフィック搬送波に遷移させるかに関する情報をモバイルデバイスに提供できる。非定常性（non-stationary）モバイルデバイスに関してこのモードを推奨することはできない。
【００６５】
いくつかの実施形態は監視モードを含むことができる。例えば、モバイルデバイスは、そのトラフィック搬送波上で動作している間に、短い期間にわたって、またはデータの不活性期間中に離調することによって、他のシグナリング搬送波および／もしくはトラフィック搬送波を監視できる。モバイルデバイスは、前のシグナリング搬送波上にキャンプしている間に、ブロードキャストされたシステム情報、現在のトラフィック搬送波からの専用情報、および／またはモバイルデバイス内に供給された搬送波情報を介して、監視するための搬送波に関する情報を取得できる。いくつかの実施形態は周期的な監視を含むことができる。
【００６６】
いくつかの実施形態は、シグナリング搬送波とトラフィック搬送波との間の情報共有を含むことができる。移動度手順をサポートするために、シグナリング搬送波は、１つまたは複数のトラフィック搬送波に関する情報を搬送できる。図７Ａは、１つのトラフィック搬送波７２０−ａに関する情報を提供する、１つのシグナリング搬送波７１０−ａの例７００−ａを示し、この場合、トラフィック搬送波は、シグナリング搬送波に関する情報をトラフィック搬送波上でモバイルデバイスに提供できる。図７Ｂは、複数のトラフィック搬送波７２０−ｂ−ｉ、７２０−ｂ−ｊ、７２０−ｂ−ｋに関する情報を提供する、１つのシグナリング搬送波７１０−ｂの例７００−ｂを示す。この場合、これら複数のトラフィック搬送波の各々は、シグナリング搬送波に関する情報を搬送波上でモバイルデバイスに提供することもできる。図７Ｃは、重複しないトラフィック搬送波７２０−ｃ−ｉ、７２０−ｃ−ｊ、７２０−ｃ−ｋ、７２０−ｃ−ｌ、７２０−ｃ−ｍ、７２０−ｃ−ｎの異なるセットに関する情報をモバイルデバイスに提供する、２つのシグナリング搬送波７１０−ｃ−ｉ、７１０−ｃ−ｊの例７００−ｃを示す。この場合、シグナリング搬送波７１０−ｃ−ｉ／７１０−ｃ−ｊは、該当のトラフィック搬送波に関する情報を提供することが可能であり、その該当のトラフィック搬送波は、シグナリング搬送波７１０−ｃ−ｉ／７１０−ｃ−ｊに関する情報を提供可能であり、両シグナリング搬送波は情報を共有することができない。同様に、２セットのトラフィック搬送波は互いと情報を共有することもできない。図７Ｄは、いくつかの独立したトラフィック搬送波７２０−ｄ−ｉ、７２０−ｄ−ｋ、７２０−ｄ−ｍ、７２０−ｄ−ｎ、およびいくつかの共通トラフィック搬送波（すなわち、部分的に重複する）７２０−ｄ−ｊ、７２０−ｄ−ｌに関する情報をモバイルデバイスに提供する、２つのシグナリング搬送波７１０−ｄ−ｉ、７１０−ｄ−ｊの例７００−ｄを示す。この場合、共通のトラフィック搬送波は、両方の信号搬送波７１０−ｄ−ｉおよび７１０−ｄ−ｊに関する情報を提供できるのに対して、独立したトラフィック搬送波は、それらの対応するシグナリング搬送波に関する情報を提供できる。図７Ｅは、同じセットのトラフィック搬送波（すなわち、完全に重複する）７２０−ｅ−ｉ、７２０−ｅ−ｊ、７２０−ｅ−ｋ、７２０−ｅ−ｌ、７２０−ｅ−ｍ、７２０−ｅ−ｎに関する情報をモバイルデバイスに提供する、２つのシグナリング搬送波７１０−ｅ−ｉ、７１０−ｅ−ｊの例７００−ｅを示す。この場合、すべてのシグナリング搬送波およびトラフィック搬送波は、すべての他のシグナリング搬送波およびトラフィック搬送波に関する情報をモバイルデバイスと共有できる。図７の矢印は、シグナリング搬送波とトラフィック搬送波との間の搬送波情報の流れを示す。情報は、Ｎ（チャネル帯域幅）、スクランブリングコード、搬送波タイミング情報などを含むことができる。場合によっては、搬送波は、異なる時間的なインスタンスで、シグナリング搬送波であっても、トラフィック搬送波であってもよい。これは、ネットワーク構成、負荷などに依存し得る。
【００６７】
シグナリング搬送波およびトラフィック搬送波は、同じＮ値または異なるＮ値に作用することが可能であり、複数のトラフィック搬送波を用いる場合、Ｎ構成は異なる場合がある。搬送波の展開は、シグナリング搬送波上で、モバイルデバイスがトラフィック搬送波のうちの少なくとも１つにアクセスできるというものであり得る。
【００６８】
いくつかの実施形態は、仮想の位置領域および／またはルーティング領域を使用するグルーピングを含むことができる。例えば、搬送波情報がシグナリング搬送波とトラフィック搬送波との間を流れるのを可能にするために、同じＬＡ／ＲＡ  ＩＤを用いて、搬送波を仮想の位置領域（ＬＡ）および／またはルーティング領域（ＲＡ）にグループ化できる。例えば、同じＬＡ／ＲＡ内のシグナリング搬送波およびトラフィック搬送波は、その位置領域内のシグナリング搬送波およびトラフィック搬送波に関する情報を有することができる。いくつかの、共通の境界を有する搬送波（bordering carriers）は、移動度管理のために、別のＬＡ／ＲＡ内のシグナリング搬送波および／またはトラフィック搬送波に関する情報を有することができる。
【００６９】
いくつかの実施形態は情報共有を含むことができる。情報共有はシグナリング搬送波同士の間で生じ得る。例えば、シグナリング搬送波は、同じＮの有無にかかわらず、他のシグナリング搬送波に関する情報を搬送できる。シグナリング搬送波は、その領域内でモバイルデバイスが移動する可能性があるため、同じ地理的位置内の他のシグナリング搬送波に関する情報を搬送できる。過負荷のシグナリング搬送波は、その地理的領域内の他のシグナリング搬送波に除荷できる。
【００７０】
いくつかの実施形態は、トラフィック搬送波同士の間の情報共有を含むことができる。トラフィック搬送波は、その領域内でモバイルデバイスが移動する可能性があるため、同じ地理的位置内の他のトラフィック搬送波に関する情報を搬送できる。トラフィック搬送波は、同じＮ内の他のトラフィック搬送波に関する情報を搬送できる。
【００７１】
フレキシブル帯域幅に関してシグナリング搬送波およびトラフィック搬送波の分離を利用する実施形態は、知られている技法との違いを多数有する場合がある。例えば、実施形態は、結果として、フレキシブル搬送波のページングおよびシステム情報（ＳＩ）容量の増大をもたらす場合がある。いくつかの実施形態は、ページングとブロードキャストＳＩとだけを含み得る、シグナリング順方向リンクだけの伝送（signaling forward link only transmissions）をシグナリング搬送波内に含めることができる。いくつかの実施形態は、（登録だけに関して）順方向リンクとアップリンクとをシグナリング搬送波内に含み得る、シグナリングおよび小型パケットトラフィックを含むことができる。いくつかの実施形態は、ＮＡＳ移動度とセキュリティとに関するが、無線リソース制御（ＲＲＣ）保守に関連しないシグナリング搬送波を含めることができる。いくつかの実施形態は、トラフィックだけに専用の搬送波を含めることができる（ブロードキャストトラフィックをこれら搬送波上で送信することはできない）。
【００７２】
いくつかの実施形態は、信号プレーン用のＲＲＣおよびユーザプレーン用のＲＬＣに対する最小限の影響を伴うか、または影響をまったく伴わないプロトコル変更を含むことができる。いくつかの実施形態は、すべてのＲＲＣ状態のモバイルデバイスが影響を受け得るように、モバイルデバイス状態に影響を及ぼすことができる。いくつかの実施形態は、登録および追跡領域更新の後、ＲＲＣリソースをシグナリング搬送波上で解放することができ、トラフィック搬送波に遷移させる前に、モバイルデバイスがＩＤＬＥ状態またはＣＥＬＬ＿ＰＣＨ／ＵＲＡ＿ＰＣＨ状態になることができるように、遷移を含むことができる。いくつかの実施形態では、データトラフィック搬送波に関する情報をブロードキャストメッセージとしてＳＩＢ内で、および／またはページに添付して、モバイルデバイスに伝達できる。
【００７３】
いくつかの実施形態では、ページメッセージを介して、トラフィック搬送波の活性化、不活性化、および／または再構成の推奨をモバイルデバイスに送信することが可能であり、他の事例では、モバイルデバイスがアプリケーション、電力節約、および／または信号品質に基づいて、最善の搬送波を判断する責任を担う場合がある。モバイルデバイスを信号搬送波またはトラフィック搬送波のいずれかと関連付けることができるが、同時に両方の搬送波と関連付けることはできない。シグナリング搬送波からのモバイルデバイスの関連付け解除（disassociation）は、ＭＴ呼またはＭＯ呼に基づいて、モバイルデバイスがトラフィック搬送波に移動することを伴う場合がある。シグナリング搬送波から別のシグナリング搬送波への遷移は、アイドルモード再選択手順を伴う場合がある。いくつかの実施形態では、モバイルデバイスが接続モードのときの、あるトラフィック搬送波から別のトラフィック搬送波への遷移はハンドオーバによって生じる。
【００７４】
いくつかの実施形態では、間欠受信（ＤＲＸ）手順をシグナリング搬送波内およびトラフィック搬送波内で異なって構成できる。例えば、シグナリング搬送波内のＤＲＸサイクルとトラフィック搬送波内のＤＲＸサイクルとを独立して構成できる。
【００７５】
次に図８を参照すると、ブロック図では、シグナリング搬送波およびトラフィック搬送波のスプリット機能性を含むデバイス８００が例示される。例えば、デバイス８００は、図１、図２Ａ、図２Ｂ、図３、図９、図１１、および／または図１２を参照して説明されるモバイルデバイス１１５のうちの１つであってよい。デバイス８００は、プロセッサであってもよい。デバイス８００は、受信機モジュール８０５、シグナリング搬送波モジュール８１０、遷移モジュール８１２、トラフィック搬送波モジュール８１５および／または送信機モジュール８２０を含むことができる。これら構成要素の各々は互いに通信できる。
【００７６】
デバイス８００のこれら構成要素は、個々にまたは集合的に、ハードウェア内の適用可能な機能のうちのいくつかまたはすべてを行うように適合された、１つもしくは複数の特定用途向け集積回路（ＡＳＩＣ）とともに実施できる。あるいは、これら機能は１つもしくは複数の集積回路上の１つもしくは複数の他の処理ユニット（または、コア）によって行われ得る。他の実施形態では、当技術分野で知られている何らかの方式でプログラムされ得る、他のタイプの集積回路（例えば、ストラクチャード（Structured）ＡＳＩＣ／プラットフォームＡＳＩＣ、フィールドプログラマブルゲートアレイ（ＦＰＧＡ）、および他のセミカスタムＩＣ）を使用できる。各ユニットの機能の全部または一部を、１つもしくは複数の汎用プロセッサあるいは特定用途プロセッサによって実行されるようにフォーマットされたメモリ内で具体化される命令とともに実施することもできる。
【００７７】
受信機モジュール８０５は、デバイス８００が何を受信または送信したかに関するパケット情報、データ情報、および／またはシグナリング情報などの情報を受信できる。受信された情報を、様々な目的で、シグナリング搬送波モジュール８１０および／またはトラフィック搬送波モジュール８１５によって利用できる。
【００７８】
シグナリング搬送波モジュール８１０は、シグナリングデータを第１の帯域幅搬送波上で受信できる。いくつかの実施形態では、シグナリング搬送波モジュール８１０は、ネットワークに送信されることになるモバイルデバイス登録メッセージを準備する。遷移モジュール８１２は、シグナリングデータを第１の搬送波上で受信することから、第２の搬送波上でのシグナリングデータに対応する少なくともトラフィックデータまたはネットワークデータをトラフィック搬送波モジュール８１５で受信することに遷移させることを円滑にできる。この遷移は、モバイルデバイスが監視している近接するシグナリング搬送波およびトラフィック搬送波に関する情報をシグナリング搬送波から取得して、今後の遷移のために、それらの搬送波の（例えば、信号電力に関して）実行可能性を査定することを伴う場合がある。いくつかの実施形態では、シグナリングデータを他のトラフィックデータのいずれからも別に第１の搬送波上で受信できる。例えば、シグナリングデータを他のトラフィックデータなしに第１の搬送波上で受信できる。トラフィック搬送波モジュール８１５は、モバイルデバイスがトラフィック搬送波上にあるとき、トラフィックデータの送受信をサポートするために使用できる。トラフィック搬送波モジュール８１５は、モバイルデバイスが今後の遷移のために評価することを要望する可能性がある近接セルに関するデータをネットワークから受信するのをサポートすることもできる。この評価は遷移モジュール８１２内で行われ得る。
【００７９】
いくつかの実施形態では、シグナリング搬送波モジュール８１０、遷移モジュール８１２、および／またはトラフィック搬送波モジュール８１５は、トラフィックデータを第１の搬送波上で送信および／または受信すること、ならびにシグナリングデータを第２の搬送波上で送信および／または受信することへの遷移を行い得る。遷移モジュール８１２は、トラフィックデータを第２の搬送波上で少なくとも送信または受信することからトラフィックデータを第３の搬送波上で少なくとも送信または受信することに遷移させるように構成できる。遷移モジュール８１２は、シグナリングデータを第１の搬送波上で受信することからシグナリングデータを第４の搬送波上で受信することに遷移させるように構成できる。いくつかの実施形態では、受信されたシグナリングデータはトラフィックデータに対応し得る。第１の搬送波は第２の搬送波に関する情報を搬送できる。
【００８０】
いくつかの実施形態は、シグナリング搬送波モジュール８１０、遷移モジュール８１２、および／またはトラフィック搬送波モジュール８１５を利用して、第１のスケーリング係数を利用して、第１の搬送波の帯域幅をスケーリングすることと、第２のスケーリング係数を利用して、第２の搬送波の帯域幅をスケーリングすることを含む。第１のスケーリング係数および第２のスケーリング係数は、同じであっても、異なってもよい。少なくとも第１のスケーリング係数または第２のスケーリング係数を動的に調整できる。少なくとも第１のスケーリング係数または第２のスケーリング係数を動的に調整することは、少なくとも第１のスケーリング係数または第２のスケーリング係数を予測されるトラフィック需要に基づいて調整することを含むことができる。
【００８１】
いくつかの実施形態では、少なくとも第１の搬送波または第２の搬送波はフレキシブル帯域幅搬送波を含む。第１の搬送波および第２の搬送波は共通のスケーリング係数を利用できる。いくつかの実施形態では、少なくとも第１の搬送波または第２の搬送波は通常の帯域幅搬送波を含む。
【００８２】
シグナリング搬送波モジュール８１０、遷移モジュール８１２、および／またはトラフィック搬送波モジュール８１５は、少なくともシグナリング容量、トラフィック容量、もしくはページング容量を増加させるために、少なくともトラフィックデータまたはシグナリングデータを受信するように構成できる。シグナリングデータは、少なくとも（システム情報などの）ブロードキャストメッセージ、ページング、同期、またはパイロットデータを含むことができる。シグナリングデータは、トラフィックデータを第１の帯域幅搬送波上で送信するために必要であることも、必要でないこともある、少なくともセル構成パラメータ、ページ、またはオペレータ特定情報を含むことができる。場合によっては、シグナリングデータはネットワークデータと呼ばれてもよい。トラフィックデータは、トラフィックデータを支援するために、少なくともユーザデータまたは制御情報を含むことができる。いくつかの実施形態では、第１の搬送波はアイドルモードに関して利用され、第２の搬送波は接続モードに関して利用される。
【００８３】
いくつかの実施形態では、第１の搬送波内および第２の搬送波内のユーザは、少なくともコード、時間、または周波数によって分離される。第１の搬送波上のユーザは、第２の搬送波上のユーザとは異なって分離されてよい。例えば、第１の搬送波内のユーザは時間によって分離されてよく、第２の搬送波上のユーザは周波数によって分離される。いくつかの実施形態では、第１の搬送波はＦＤＤを利用し、第２の搬送波はＴＤＤを利用する。
【００８４】
いくつかの実施形態では、シグナリング搬送波モジュール８１０、遷移モジュール８１２、および／またはトラフィック搬送波モジュール８１５は、少なくとも第１の搬送波または第２の搬送波が、少なくともコード、時間、または周波数を利用して、順方向リンク伝送と逆方向リンク伝送とを分離するように構成される。第１の搬送波および／または第２の搬送波は、異なる方式で順方向リンク伝送と逆方向リンク伝送とを分離できる。
【００８５】
いくつかの実施形態は、トラフィック搬送波モジュール８１５を利用して、トラフィックデータを第３の搬送波上で受信および／または送信することを含むことができる。シグナリングデータは、シグナリング搬送波モジュール８１０を利用して、第１の搬送波上で受信できる。場合によっては、シグナリングデータはトラフィックデータに対応し得る。第１の搬送波は、第２の搬送波および／または第３の搬送波に関する情報を搬送できる。第３の搬送波はフレキシブル帯域幅搬送波であってよい。いくつかの実施形態は、トラフィックデータを第３の搬送波上で受信および／または送信することと、シグナリングデータを第４の搬送波上で送信することとを含むことができる。第４の搬送波は、少なくとも第１の搬送波および第２の搬送波に関する情報を搬送することができ、第２の搬送波は、少なくとも第１の搬送波または第２の搬送波に関する情報を搬送できる。
【００８６】
図９は、様々な実施形態による、信号搬送波およびトラフィック搬送波の分割を円滑にするように構成されたモバイルデバイス１１５−ｅのブロック図９００である。モバイルデバイス１１５−ｅは、（例えば、ラップトップコンピュータ、ネットブックコンピュータ、タブレットコンピュータなどの）パーソナルコンピュータ、セルラ電話、ＰＤＡ、デジタルビデオレコーダ（ＤＶＲ）、インターネット器具、ゲームコンソール、電子リーダなどの、様々な構成のうちのいずれかを有することができる。モバイルデバイス１１５−ｅは、モバイル操作を円滑にするための、小型電池など、内部電力供給装置（図示せず）を有することができる。いくつかの実施形態では、モバイルデバイス１１５−ｅは、図１、図２Ａ、図２Ｂ、図３、図１１、および／もしくは図１２のモバイルデバイス１１５、ならびに／または図８のデバイス８００であってよい。モバイルデバイス１１５−ｅはマルチモードモバイルデバイスであってよい。モバイルデバイス１１５−ｅは、場合によっては、無線通信デバイスと呼ばれてもよい。
【００８７】
モバイルデバイス１１５−ｅは、各々が（例えば、１つもしくは複数のバスを介して）直接的または間接的に互いに通信できるアンテナ９４０と、トランシーバモジュール９５０と、メモリ９８０と、プロセッサモジュール９７０とを含むことができる。トランシーバモジュール９５０は、上で説明されたように、アンテナ９４０および／あるいは１つもしくは複数のワイヤードリンクまたは無線リンクを介して、１つもしくは複数のネットワークと双方向に通信するように構成される。例えば、トランシーバモジュール９５０は、図１、図２Ａ、図２Ｂ、図３、図１１、および／または図１２の基地局１０５と双方向に通信するように構成できる。トランシーバモジュール９５０は、パケットを変調して、伝送のために、変調されたパケットをアンテナ９４０に提供し、アンテナ９４０から受信したパケットを復調するように構成されたモデムを含むことができる。モバイルデバイス１１５−ｅは単一のアンテナを含むことができるのに対して、モバイルデバイス１１５−ｅは、典型的には、複数のリンク用の複数のアンテナ９４０を含むことになる。
【００８８】
メモリ９８０は、ランダムアクセスメモリ（ＲＡＭ）と、読出し専用メモリ（ＲＯＭ）とを含むことができる。メモリ９８０は、実行されたとき、プロセッサモジュール９７０に本明細書で説明される様々な機能（例えば、呼処理、データベース管理、メッセージルーティングなど）を行わせるように構成された命令を含むコンピュータ可読、コンピュータ実行可能ソフトウェアコード９８５を記憶できる。あるいは、ソフトウェアコード９８５は、プロセッサモジュール９７０によって直接実行可能でなくてよいが、（例えば、コンパイルおよび実行されたとき）コンピュータに本明細書で説明される機能を行わせるように構成できる。
【００８９】
プロセッサモジュール９７０は、例えば、Ｉｎｔｅｌ（登録商標）ＣｏｒｐｏｒａｔｉｏｎまたはＡＭＤ（登録商標）によって作成されたものなどの中央処理装置（ＣＰＵ）、マイクロコントローラ、特定用途向け集積回路（ＡＳＩＣ）などの、インテリジェントハードウェアデバイスを含むことができる。プロセッサモジュール９７０は、マイクロフォンを介して音声を受信し、その音声を、受信された音声を表す（例えば、長さ３０ｍｓの）パケットに変換し、音声パケットをトランシーバモジュール９５０に提供し、ユーザが話しているかどうかの表示を提供するように構成された音声エンコーダ（図示せず）を含むことができる。あるいは、エンコーダは、パケットそれ自体が、ユーザが話しているかどうかの表示を提供するという規定または留保／抑制付きで、パケットをトランシーバモジュール９５０に提供するだけであってよい。
【００９０】
図９のアーキテクチャによれば、モバイルデバイス１１５−ｅは、通信管理モジュール９６０をさらに含むことができる。通信管理モジュール９６０は、他のモバイルデバイス１１５との通信を管理できる。例として、通信管理モジュール９６０は、バスを介して、モバイルデバイス１１５−ｅの他の構成要素のうちのいくつかまたはすべてと通信する、モバイルデバイス１１５−ｅの構成要素であってよい。あるいは、通信管理モジュール９６０の機能性を、トランシーバモジュール９５０の構成要素として、コンピュータプログラム製品として、かつ／またはプロセッサモジュール９７０の１つもしくは複数の要素として実施できる。
【００９１】
モバイルデバイス１１５−ｅに関する構成要素は、図８のデバイス８００に関して上で議論された態様を実施するように構成可能であり、簡潔にするために、ここで繰り返されない場合がある。例えば、シグナリング搬送波モジュール８１０−ａは、図８のシグナリング搬送波モジュール８１０であってよい。トラフィック搬送波モジュール８１５−ａは、図８のトラフィック搬送波モジュール８１５のある例であってよい。遷移モジュール８１２−ａは、図８の遷移モジュール８１２のある例であってよい。
【００９２】
モバイルデバイス１１５−ｅは、スペクトル識別モジュール９１５を含むこともできる。スペクトル識別モジュール９１５は、フレキシブル波形に関して利用可能なスペクトルを識別するために利用できる。いくつかの実施形態では、ハンドオーバモジュール９２５は、モバイルデバイス１１５−ｅの再選択手順と、ある基地局から別の基地局へのハンドオーバ手順とを行うために利用できる。例えば、ハンドオーバモジュール９２５は、シグナリング搬送波から別のシグナリング搬送波への、あるトラフィック搬送波から別のトラフィック搬送波への、かつシグナリング搬送波とトラフィック搬送波との間の、モバイルデバイス１１５−ｅのハンドオーバ手順を行い得る。これら搬送波をサポートする基地局は、モバイルデバイス１１５−ｅと基地局との間で通常波形またはフレキシブル波形を利用できる。いくつかの実施形態では、遷移モジュール８１２−ａおよび／またはハンドオーバモジュール９２５を１つのモジュールに結合させることができる。スケーリングモジュール９１０は、フレキシブル波形を生成する目的で、チップレートをスケーリングおよび／または変更するために利用できる。
【００９３】
いくつかの実施形態では、トランシーバモジュール９５０は、モバイルデバイス１１５−ｅの他の可能な構成要素と一緒に、アンテナ９４０とともに、モバイルデバイスの性能についてのフレキシブル波形および／またはスケーリング係数に関する情報をデバイス１１５−ｅから基地局および／またはコアネットワークに送信できる。いくつかの実施形態では、トランシーバモジュール９５０は、モバイルデバイス１１５−ｅの他の可能な構成要素と一緒に、アンテナ９４０とともに、これらデバイスまたはシステムが今後の伝送でフレキシブル波形を利用できるように、モバイルデバイスの性能についてのフレキシブル波形および／またはスケーリング係数などの情報を基地局および／またはコアネットワークに送信できる。
【００９４】
次に図１０を参照すると、ブロック図では、シグナリングおよびトラフィックデータのスプリット機能性を含むデバイス１０００が例示される。デバイス１０００は、図１、図２Ａ、図２Ｂ、図１３、図１１、および／または図１２を参照して説明された基地局１０５のうちの１つもしくは複数のある例であってよい。デバイス１０００は、受信機モジュール１００５、シグナリング搬送波モジュール１０１０、トラフィック搬送波モジュール１０１５および／または送信機１０２０を含むことができる。これら構成要素の各々は、互いに通信できる。
【００９５】
デバイス１０００のこれら構成要素は、個々にまたは集合的に、ハードウェア内の適用可能な機能のうちのいくつかまたはすべてを行うように適合された、１つもしくは複数の特定用途向け集積回路（ＡＳＩＣ）とともに実施できる。あるいは、これら機能は、１つもしくは複数の集積回路上の１つもしくは複数の他の処理ユニット（または、コア）によって行われ得る。他の実施形態では、当技術分野で知られている何らかの方式でプログラム可能な他のタイプの集積回路（例えば、ストラクチャードＡＳＩＣ／プラットフォームＡＳＩＣ、フィールドプログラマブルゲートアレイ（ＦＰＧＡ）、および他のセミカスタムＩＣ）を使用できる。各ユニットの機能の全部または一部を、１つもしくは複数の汎用プロセッサあるいは特定用途向けプロセッサによって実行されるようにフォーマットされた、メモリ内で具体化される命令を用いて実施することもできる。
【００９６】
受信機モジュール１００５は、デバイス１０００が何を受信したか、送信したかに関する、もしくはネットワークへの登録を試みる新しいモバイルデバイスに関するパケット情報、データ情報、および／またはシグナリング情報などの情報を受信できる。受信された情報は、様々な目的で、シグナリング搬送波モジュール１０１０および／またはトラフィック搬送波モジュール１０１５によって利用できる。
【００９７】
トラフィック搬送波モジュール１０１５は、第１の搬送波上でトラフィックを送信できる。シグナリング搬送波モジュール１０１０を利用することによって、シグナリングデータを他のトラフィックデータのいずれからも別に第２の搬送波上で送信できる。シグナリングデータを他のトラフィックデータのいずれからも別に第２の搬送波上で送信する際に、シグナリングデータを他のトラフィックデータなしに第２の搬送波上で送信できる。
【００９８】
いくつかの実施形態は、トラフィックデータを第１の搬送波上でモバイルデバイスに／から送信および／または受信することからシグナリングデータを第２の搬送波上でモバイルデバイスに送信することに遷移させることを行うように構成されたデバイス１０００を有することを含む。シグナリングデータを第２の搬送波上でモバイルデバイスに送信することからトラフィックデータを第１の搬送波上でモバイルデバイスに送信および／または受信することに遷移させることも生じ得る。基地局は、トラフィックデータを第１の搬送波上で送信および／または受信することへの遷移、およびシグナリングデータを第２の搬送波上で送信することへの遷移を行い得る。
【００９９】
いくつかの実施形態では、シグナリング搬送波モジュール１０１０および／またはトラフィック搬送波モジュール１０１５は、少なくとも第１の搬送波または第２の搬送波がフレキシブル帯域幅搬送波を含むように構成できる。第１の搬送波および第２の搬送波は共通のスケーリング係数を利用できる。いくつかの実施形態では、少なくとも第１の搬送波または第２の搬送波は通常の帯域幅搬送波を含む。
【０１００】
シグナリング搬送波モジュール１０１０および／またはトラフィック搬送波モジュール１０１５を利用して、少なくともトラフィックデータもしくはシグナリングデータを送信または受信することは、少なくともシグナリング容量、トラフィック容量、またはページング容量を増加させることができる。シグナリングデータは、少なくとも（システム情報などの）ブロードキャストメッセージ、ページング、同期、またはパイロットデータを含むことができる。トラフィックデータは、トラフィックデータを支援するために、少なくともユーザデータまたは制御情報を含むことができる。信号データは、トラフィックデータを第１の帯域幅搬送波上で送信するために必要であることも、必要でないこともある、少なくともセル構成パラメータ、ページ、またはオペレータ特定情報を含むことが可能であり、このシグナリングデータは、場合によっては、ネットワークデータと呼ばれてもよい。いくつかの実施形態では、第２の搬送波はアイドルモードに関して利用され、第１の搬送波は接続モードに関して利用される。
【０１０１】
いくつかの実施形態では、第１の搬送波内および第２の搬送波内のユーザは、少なくともコード、時間、または周波数によって分離される。第１の搬送波上のユーザを第２の搬送波上のユーザと異なって分離できる。例えば、第１の搬送波内のユーザは時間によって分離されてよく、第２の搬送波上のユーザは周波数によって分離される。いくつかの実施形態では、第１の搬送波はＦＤＤを利用し、第２の搬送波はＴＤＤを利用する。
【０１０２】
いくつかの実施形態では、シグナリング搬送波モジュール１０１０および／またはトラフィック搬送波モジュール１０１５は、少なくとも第１の搬送波または第２の搬送波が、少なくともコード、時間、または周波数を利用して、順方向リンク伝送と逆方向リンク伝送とを分離できるように構成できる。第１の搬送波および／または第２の搬送波は、異なる方式で順方向リンク伝送と逆方向リンク伝送とを分離できる。
【０１０３】
いくつかの実施形態は、少なくともシグナリング搬送波モジュール１０１０および／またはトラフィック搬送波モジュール１０１５を利用して、第１のスケーリング係数を利用して、第１の搬送波の帯域幅をスケーリングすることと、第２のスケーリング係数を利用して、第２の搬送波の帯域幅をスケーリングすることとを含む。第１のスケーリング係数および第２のスケーリング係数は、同じであっても、異なってもよい。少なくとも第１のスケーリング係数または第２のスケーリング係数を動的に調整できる。少なくとも第１のスケーリング係数または第２のスケーリング係数を動的に調整することは、少なくとも第１のスケーリング係数または第２のスケーリング係数を予測されるトラフィック需要に基づいて調整することを含むことができる。
【０１０４】
いくつかの実施形態は、トラフィック搬送波モジュール１０１５を使用して、トラフィックデータを第３の搬送波上で送信および／または受信することを含むことができる。シグナリング搬送波モジュール１０１０を使用して、シグナリングデータを第２の搬送波上で送信できる。信号データは、シグナリング搬送波モジュール１０１０および／またはトラフィック搬送波モジュール１０１５を使用して、第３の搬送波上のトラフィックデータに対応し得る。第２の搬送波は、第１の搬送波および／または第３の搬送波に関する情報を搬送できる。第３の搬送波はフレキシブル帯域幅搬送波であってよい。いくつかの実施形態は、トラフィックデータを第３の搬送波上で送信および／または受信することと、シグナリングデータを第４の搬送波上で送信することとを含むことができる。第４の搬送波は、第１の搬送波および／または第３の搬送波に関する情報を搬送することができ、第２の搬送波は、第１の搬送波および／または第３の搬送波に関する情報を搬送できる。
【０１０５】
図１１は、様々な実施形態による、シグナリングとトラフィックデータとを分離するために構成可能な通信システム１１００のブロック図を示す。このシステム１１００は、図１に示されたシステム１００、図２Ａのシステム２００−ａ、図２Ｂのシステム２００−ｂ、図３のシステム３００、および／または図１２のシステム１２００の態様のある例であってよい。基地局１０５−ｄは、各々が、（例えば、１つもしくは複数のバスを介して）直接または間接的に、互いに通信できるアンテナ１１４５と、トランシーバモジュール１１５０と、メモリ１１７０と、プロセッサモジュール１１６５とを含むことができる。トランシーバモジュール１１５０は、アンテナ１１４５を介して、マルチモードモバイルデバイスであってよいモバイルデバイス１１５−ｆと双方向に通信するように構成できる。トランシーバモジュール１１５０（および／または、基地局１０５−ｄの他の構成要素）は、１つまたは複数のネットワークと双方向に通信するようにも構成できる。場合によっては、基地局１０５−ｄは、ネットワーク通信モジュール１１７５を介して、コアネットワーク１３０−ａおよび／またはコントローラ１２０−ａと通信できる。基地局１０５−ｄは、ｅノードＢ基地局、ホームｅノードＢ基地局、ノードＢ基地局、および／またはホームノードＢ基地局のある例であってよい。コントローラ１２０−ａは、場合によっては、ｅノードＢ基地局となど、基地局１０５−ｄ内に統合できる。
【０１０６】
基地局１０５−ｄは、基地局１０５−ｍおよび基地局１０５−ｎなどの、他の基地局１０５と通信することもできる。基地局１０５の各々は、異なる無線アクセス技術などの、異なる無線通信技術を使用して、モバイルデバイス１１５−ｆと通信できる。場合によっては、基地局１０５−ｄは、基地局通信モジュール１１１５を利用して、１０５−ｍおよび／または１０５−ｎなどの、他の基地局と通信できる。いくつかの実施形態では、基地局通信モジュール１１１５は、基地局１０５のうちのいくつかの間に通信を提供するために、ＬＴＥ無線通信技術内のＸ２インターフェースを提供できる。いくつかの実施形態では、基地局１０５−ｄは、コントローラ１２０−ａおよび／またはコアネットワーク１３０−ａを介して、他の基地局と通信できる。
【０１０７】
メモリ１１７０は、ランダムアクセスメモリ（ＲＡＭ）と、読出し専用メモリ（ＲＯＭ）とを含むことができる。メモリ１１７０は、実行されたとき、プロセッサモジュール１１６５に本明細書で説明される様々な機能（例えば、呼処理、データベース管理、メッセージルーティングなど）を行わせるように構成された命令を含む、コンピュータ可読、コンピュータ実行可能ソフトウェアコード１１７１を記憶することもできる。あるいは、ソフトウェア１１７１は、プロセッサモジュール１１６５によって直接的に実行可能でなくてよいが、例えば、コンパイルおよび実行されたとき、コンピュータに本明細書で説明される機能を行わせるように構成できる。
【０１０８】
プロセッサモジュール１１６５は、例えば、Ｉｎｔｅｌ（登録商標）ＣｏｒｐｏｒａｔｉｏｎまたはＡＭＤ（登録商標）によって作成されるものなどの中央処理装置（ＣＰＵ）、マイクロコントローラ、特定用途向け集積回路（ＡＳＩＣ）などのインテリジェントハードウェアデバイスを含むことができる。プロセッサモジュール１１６５は、マイクロフォンを介して音声を受信し、その音声を受信された音声を表す（例えば、長さ３０ｍｓ）のパケットに変換し、その音声パケットをトランシーバモジュール１１５０に提供し、ユーザが話しているかどうかの表示を提供するように構成された音声エンコーダ（図示せず）を含むことができる。あるいは、エンコーダは、パケットそれ自体が、ユーザが話しているかどうかの表示を提供するという規定または留保／抑制付きで、パケットをトランシーバモジュール１１５０に提供するだけであってよい。
【０１０９】
トランシーバモジュール１１５０は、パケットを変調し、伝送のために、変調されたパケットをアンテナ１１４５に提供し、アンテナ１１４５から受信したパケットを復調するように構成されたモデムを含むことができる。基地局１０５−ｄのいくつかの例は単一のアンテナ１１４５を含むことができるが、基地局１０５−ｄは、搬送波集約をサポートすることが可能な複数のリンク用の複数のアンテナ１１４５を含むことが好ましい。例えば、１つまたは複数のリンクは、モバイルデバイス１１５−ｆとのマクロ通信をサポートするために使用できる。
【０１１０】
図１１のアーキテクチャによれば、基地局１０５−ｄは、通信管理モジュール１１３０をさらに含むことができる。通信管理モジュール１１３０は、他の基地局１０５との通信を管理できる。例として、通信管理モジュール１１３０は、バスを介して、基地局１０５−ｄの他の構成要素のうちのいくつかまたはすべてと通信する、基地局１０５−ｄの構成要素であってよい。あるいは、通信管理モジュール１１３０の機能性は、トランシーバモジュール１１５０の構成要素として、コンピュータプログラム製品として、かつ／またはプロセッサモジュール１１６５の１つもしくは複数のコントローラ要素として実施できる。
【０１１１】
基地局１０５−ｄに関する構成要素は、図８のデバイス８００および／または図１０のデバイス１０００に関して上で議論された態様を実施するように構成可能であり、簡潔にするために、ここで繰り返されない場合がある。例えば、シグナリング搬送波モジュール１０１０−ａは、図１０のシグナリング搬送波モジュール１０１０であってよい。トラフィック搬送波モジュール１０１５−ａは、図１０のトラフィック搬送波モジュール１０１５のある例であってよい。遷移モジュール８１２−ｂは、図８の遷移搬送波モジュール８１２のある例であってよい。
【０１１２】
基地局１０５−ｄは、スペクトル識別モジュール１１１５を含むこともできる。スペクトル識別モジュール１１１５は、フレキシブル波形に関して利用可能なスペクトルを識別するために利用できる。いくつかの実施形態では、ハンドオーバモジュール１１２５は、再選択手順と、ある基地局１０５から別の基地局へのモバイルデバイス１１５−ｆのハンドオーバ手順とを行うために利用できる。例えば、ハンドオーバモジュール１１２５は、モバイルデバイス１１５−ｆのシグナリング搬送波から別のシグナリング搬送波への、あるトラフィック搬送波から別のトラフィック搬送波への、かつシグナリング搬送波とトラフィック搬送波との間のハンドオーバ手順を行い得る。これら搬送波をサポートする基地局１０５は、モバイルデバイス１１５−ｆと基地局１０５との間で通常波形またはフレキシブル波形を利用できる。いくつかの実施形態では、遷移モジュール８１２−ｂおよびハンドオーバモジュール１１２５を１つのモジュールに結合させることができる。スケーリングモジュール１１１０は、フレキシブル波形を生成する目的で、チップレートをスケーリングおよびまたは変更するために利用できる。
【０１１３】
いくつかの実施形態では、トランシーバモジュール１１５０は、基地局１０５−ｄの他の可能な構成要素と一緒に、アンテナ１１４５とともに、フレキシブル波形および／またはスケーリング係数に関する情報を、基地局１０５−ｄからモバイルデバイス１１５−ｆに、他の基地局１０５−ｍ／１０５−ｎに、またはコアネットワーク１３０−ａに送信できる。いくつかの実施形態では、トランシーバモジュール１１５０は、基地局１０５−ｄの他の可能な構成要素と一緒に、アンテナ１１４５とともに、これらデバイスまたはシステムがフレキシブル波形を利用できるように、フレキシブル波形および／またはスケーリング係数などの情報をモバイルデバイス１１５−ｆに、他の基地局１０５−ｍ／１０５−ｎに、またはコアネットワーク１３０−ａに送信できる。
【０１１４】
図１２は、様々な実施形態による、基地局１０５−ｅとモバイルデバイス１１５−ｇとを含むシステム１２００のブロック図である。このシステム１２００は、図１のシステム１００、図２のシステム２００、図３のシステム３００、および／または図１４のシステム１４００のある例であってよい。基地局１０５−ｅは、アンテナ１２３４−ａ〜１２３４−ｘを備えることが可能であり、モバイルデバイス１１５−ｇは、アンテナ１２５２−ａ〜１２５２−ｎを備えることができる。基地局１０５−ｅにおいて、送信プロセッサ１２２０はデータソースからデータを受信できる。
【０１１５】
送信プロセッサ１２２０はデータを処理できる。送信プロセッサ１２２０は、基準シンボルとセル特定基準信号とを生成することもできる。送信（ＴＸ）ＭＩＭＯプロセッサ１２３０は、適用可能な場合、データシンボル、制御シンボル、および／または基準シンボルに関する空間処理（例えば、プリコーディング）を行い、出力シンボルストリームを送信変調器１２３２−ａ〜１２３２−ｘに提供し得る。各送信変調器１２３２は、出力サンプルストリームを取得するために（例えば、ＯＦＤＭなどに関して）該当の出力シンボルストリームを処理できる。各送信変調器１２３２は、ダウンリンク（ＤＬ）信号を取得するために、出力サンプルストリームをさらに処理（例えば、アナログに変換、増幅、フィルタリング、およびアップコンバート）できる。一例では、送信変調器１２３２−ａ〜１２３２−ｘからのＤＬ信号は、それぞれ、アンテナ１２３４−ａ〜１２３４−ｘを介して送信できる。送信機プロセッサ１２２０は、プロセッサ１２４０から情報を受信できる。プロセッサ１２４０はメモリ１２４２に結合できる。プロセッサ１２４０は、チップレートを変更すること、および／またはスケーリング係数を利用することによって、フレキシブル波形を生成するように構成可能であり、場合によっては、これを動的に行うことができる。プロセッサ１２４０は、異なる位置合わせ手順および／またはオフセット手順を提供することもできる。プロセッサ１２４０は、他のサブシステムに関する測定を行うため、他のサブシステムに対するハンドオフを行うため、再選択を行うためなどに、スケーリング情報および／またはチップレート情報を利用できる。プロセッサ１２４０は、パラメータスケーリングによって、フレキシブル帯域幅の使用に関連する時間延長の影響を反転できる。いくつかの実施形態では、プロセッサ１２４０は、シグナリングとデータトラフィックとを、フレキシブル帯域幅搬送波であってよい異なる搬送波に分離するように構成できる。場合によっては、割り当てたれたリソースをトラフィックパターンに合わせてカスタマイズできるように、これを利用できる。いくつかの実施形態では、プロセッサ１２４０は、汎用プロセッサ、送信機プロセッサ１２２０、および／または受信機プロセッサ１２３８の一部として実施できる。
【０１１６】
モバイルデバイス１１５−ｇにおいて、モバイルデバイスアンテナ１２５２−ａ〜１２５２−ｎは、基地局１０５−ｅからＤＬ信号を受信することができ、受信された信号をそれぞれ復調器１２５４−ａ〜１２５４−ｎに提供できる。各復調器１２５４は、入力サンプルを取得するために、該当の受信された信号を条件付け（例えば、フィルタリング、増幅、ダウンコンバート、およびデジタル化）できる。各復調器１２５４は、受信されたシンボルを取得するために（例えば、ＯＦＤＭなどに関して）入力サンプルをさらに処理できる。ＭＩＭＯ検出器１２５６は、受信されたシンボルをすべての復調器１２５４−ａ〜１２５４−ｎから取得し、適用可能な場合、受信されたシンボルに関してＭＩＭＯ検出を行い、検出されたシンボルを提供できる。受信プロセッサ１２５８は、検出されたシンボルを処理（例えば、復調、ディインターリーブ、および復号）して、モバイルデバイス１１５−ｇに関して復号されたデータをデータ出力に提供し、復号された制御情報をプロセッサ１２８０またはメモリ１２８２に提供できる。
【０１１７】
アップリンク（ＵＬ）上で、モバイルデバイス１１５−ｇにおいて、送信プロセッサ１２６４は、データソースからデータを受信し、処理できる。送信プロセッサ１２６４は、基準信号に関する基準シンボルを生成することもできる。送信プロセッサ１２６４からのシンボルは、適用可能な場合、送信ＭＩＭＯプロセッサ１２６６によってプリコーディングされ、（例えば、ＳＣ−ＦＤＭＡなどの場合）復調器１２５４−ａ〜１２５４−ｎによってさらに処理され、基地局１０５−ｅから受信した送信パラメータに従って、基地局１０５−ｅに送信されてもよい。送信機プロセッサ１２６４は、チップレートを変更することおよび／またはスケーリング係数を利用することによって、フレキシブル波形を生成するようにも構成可能であり、場合によっては、これを動的に行うことができる。送信プロセッサ１２６４はプロセッサ１２８０から情報を受信できる。プロセッサ１２８０は、異なる位置合わせ手順および／またはオフセット手順を提供できる。プロセッサ１２８０は、他のサブシステムに関する測定を行うため、他のサブシステムに対するハンドオフを行うため、再選択を行うためなどに、スケーリング情報および／またはチップレート情報を利用することもできる。プロセッサ１２８０は、パラメータスケーリングによって、フレキシブル帯域幅の使用と関連付けられた時間延長の効果を反転できる。基地局１０５−ｅにおいて、モバイルデバイス１１５−ｇからのＵＬ信号を、アンテナ１２３４によって受信し、復調器１２３２によって処理し、適用可能な場合、ＭＩＭＯ検出器１２３６によって検出し、受信プロセッサによってさらに処理できる。受信プロセッサ１２３８は、復号されたデータをデータ出力に提供し、プロセッサ１２８０に提供できる。いくつかの実施形態では、プロセッサ１２８０は、シグナリングとデータトラフィックとをフレキシブル帯域幅搬送波であってよい異なる搬送波に分離するように構成できる。場合によっては、割り当てられたリソースをトラフィックパターンに合わせてカスタマイズできるように、これを利用できる。いくつかの実施形態では、プロセッサ１２８０は、汎用プロセッサ、送信機プロセッサ１２６４、および／または受信機プロセッサ１２５８の一部として実施できる。
【０１１８】
図１３Ａを参照すると、無線通信の方法１３００−ａの流れ図。方法１３００−ａは、図１、図２Ａ、図２Ｂ、図３、図９、図１１、および／もしくは図１２に見られるようなモバイルデバイス１１５、図１、図２Ａ、図２Ｂ、図３、図１１、および／もしくは図１２に見られるような基地局１０５、図１および／もしくは図１２に見られるようなコアネットワーク１３０またはコントローラ１２０、図８のデバイス８００、ならびに／あるいは図１０のデバイス１０００を含むが、これらに限定されない様々な無線通信デバイスを利用して実施できる。
【０１１９】
ブロック１３０５で、シグナリングデータを第１の搬送波上で受信できる。ブロック１３１０で、シグナリングデータを第１の搬送波上で受信することからトラフィックデータを第２の搬送波上で送信および／または受信することへの遷移が生じ得る。いくつかの実施形態では、トラフィックデータはシグナリングデータに対応する。いくつかの実施形態では、シグナリングデータを他のトラフィックデータのいずれからも別に第１の搬送波上で受信できる。例えば、シグナリングデータを他のトラフィックデータなしに第１の搬送波上で受信できる。いくつかの実施形態では、モバイルデバイス登録などの、シグナリングデータを第１の搬送波上で送信できる。
【０１２０】
いくつかの実施形態では、遷移は、トラフィックデータを第１の搬送波上で送信および／または受信するため、かつシグナリングデータを第２の搬送波上で送信するために行われる。いくつかの実施形態では、遷移は、トラフィックデータを第１の搬送波上で送受信するため、かつシグナリングデータを第２の帯域幅搬送波上で送信および／または受信するために行われる。いくつかの実施形態は、トラフィックデータを第２の搬送波上で少なくとも送信または受信することからトラフィックデータを第３の搬送波上で少なくとも送信または受信することに遷移させることをさらに含む。いくつかの実施形態は、シグナリングデータを第１の搬送波上で受信することからシグナリングデータを第４の搬送波上で受信することに遷移させることをさらに含む。いくつかの実施形態は、シグナリングデータを第１の搬送波上で送信することをさらに含む。いくつかの実施形態では、第１の搬送波は第１の帯域幅を利用し、第２の搬送波は第２の帯域幅を利用する。いくつかの実施形態では、第１の搬送波は第２の搬送波に関する情報を搬送する。
【０１２１】
いくつかの実施形態は、第１のスケーリング係数を利用して、第１の帯域幅をスケーリングすることと、第２のスケーリング係数を利用して、第２の帯域幅をスケーリングすることとを含む。第１のスケーリング係数および第２のスケーリング係数は、同じであっても、異なってもよい。少なくとも第１のスケーリング係数もしくは第２のスケーリング係数、または第１の帯域幅および／もしくは第２の帯域幅を動的に調整できる。少なくとも第１のスケーリング係数もしくは第２のスケーリング係数、または少なくとも第１の帯域幅もしくは第２の帯域幅を動的に調整することは、少なくとも第１のスケーリング係数もしくは第２のスケーリング係数、または少なくとも第１の帯域幅もしくは第２の帯域幅を、予測されるトラフィック需要に基づいて調整することを含む。いくつかの実施形態は、異なるスケーリング係数を利用して、少なくとも第１の帯域幅もしくは第２の帯域幅について少なくともアップリンクまたはダウンリンクをスケーリングすることを含む。
【０１２２】
いくつかの実施形態では、少なくとも第１の搬送波または第２の搬送波はフレキシブル帯域幅搬送波を含む。第１の搬送波および第２の搬送波は、共通のスケーリング係数を利用できる。いくつかの実施形態では、少なくとも第１の搬送波または第２の搬送波は、通常の帯域幅搬送波を含む。
【０１２３】
いくつかの実施形態では、少なくともトラフィックデータもしくはシグナリングデータを送信および／または受信することは、少なくともシグナリング容量、トラフィック容量、またはページング容量を増加させることができる。シグナリングデータは、少なくとも（システム情報などの）ブロードキャストメッセージ、ページング、同期、またはパイロットデータを含むことができる。トラフィックデータは、トラフィックデータを支援するために、少なくともユーザデータまたは制御情報を含むことができる。シグナリングデータは、トラフィックデータを第１の帯域幅搬送波上で送信するために必要であることも、必要でないこともある、少なくともセル構成パラメータ、ページ、またはオペレータ特定情報を含むことも可能であり、場合によっては、このシグナリングデータはネットワークデータと呼ばれてもよい。いくつかの実施形態では、第１の搬送波はアイドルモードに関して利用され、第２の搬送波は接続モードに関して利用される。
【０１２４】
いくつかの実施形態では、第１の搬送波内および第２の搬送波内のユーザは、少なくともコード、時間、または周波数によって分離される。第１の搬送波上のユーザを第２の搬送波上のユーザとは異なって分離できる。例えば、第１の搬送波内のユーザを時間によって分離することが可能であり、第２の搬送波上のユーザは周波数によって分離される。いくつかの実施形態では、第１の搬送波はＦＤＤを利用し、第２の搬送波はＴＤＤを利用する。
【０１２５】
いくつかの実施形態では、少なくとも第１の搬送波または第２の搬送波は、少なくともコード、時間、または周波数を利用して、順方向リンク伝送と逆方向リンク伝送とを分離する。第１の搬送波および第２の搬送波は、異なる方式で順方向リンク伝送と逆方向リンク伝送とを分離できる。
【０１２６】
いくつかの実施形態は、トラフィックデータを第３の搬送波上で受信することを含む。シグナリングデータを第１の搬送波上で受信できる。第１の搬送波は、第３の搬送波上のトラフィックデータに対応する、少なくとも第２の搬送波または第３の搬送波に関する情報を搬送できる。第３の搬送波はフレキシブル帯域幅搬送波であってよい。いくつかの実施形態は、トラフィックデータを第３の搬送波上で受信することと、シグナリングデータを第４の搬送波上で送信することとを含む。第４の搬送波上のシグナリングデータは、第３の搬送波上のトラフィックデータに対応し得る。第４の搬送波は、第２の搬送波および／または第３の搬送波に関する情報を搬送できる。
【０１２７】
図１３Ｂを参照すると、無線通信の方法１３００−ｂの流れ図。方法１３００−ｂは、図１、図２Ａ、図２Ｂ、図３、図９、図１１、および／もしくは図１２に見られるモバイルデバイス１１５、図１、図２Ａ、図２Ｂ、図３、図１１、および／もしくは図１２に見られる基地局１０５、図１および／もしくは図１２に見られるコアネットワーク１３０またはコントローラ１２０、図８のデバイス８００、ならびに／あるいは図１０のデバイス１０００を含むが、これらに限定されない様々な無線通信デバイスを利用して実施できる。
【０１２８】
ブロック１３０５−ａで、シグナリングデータを第１のフレキシブル帯域幅搬送波上で基地局からモバイルデバイスで受信できる。ブロック１３１０−ａで、シグナリングデータを第１のフレキシブル帯域幅搬送波上で受信することからトラフィックデータを送受信することに遷移させることはモバイルデバイスで生じ得る。場合によっては、トラフィックデータは、第２のフレキシブル帯域幅搬送波上のシグナリングデータに対応する。ブロック１３１５において、１つもしくは複数のスケーリング係数を利用して、少なくとも第１のフレキシブル帯域幅搬送波または第２のフレキシブル帯域幅搬送波を予測されるトラフィック需要に基づいて動的に調整できる。
【０１２９】
図１４Ａを参照すると、無線通信の方法１４００−ａの流れ図。方法１４００−ａは、図１、図２Ａ、図２Ｂ、図３、図９、図１１、および／もしくは図１２に見られるモバイルデバイス１１５、図１、図２Ａ、図２Ｂ、図３、図１１、および／もしくは図１２に見られる基地局１０５、図１および／もしくは図１２に見られるコアネットワーク１３０またはコントローラ１２０、図８のデバイス８００、ならびに／あるいは図１０のデバイス１０００を含むが、これらに限定されない様々な無線通信デバイスを利用して実施できる。
【０１３０】
ブロック１４０５で、トラフィックデータを第１の搬送波上で送信および／または受信できる。ブロック１４１０で、シグナリングデータを他のトラフィックデータのいずれからも別に第２の搬送波上で送信できる。場合によっては、シグナリングデータはトラフィックデータに対応する。シグナリングデータを他のトラフィックデータのいずれからも別に第２の搬送波上で送信する際に、シグナリングデータを他のトラフィックデータなしに第２の搬送波上で送信できる。
【０１３１】
いくつかの実施形態は、トラフィックデータを第１の搬送波上でモバイルデバイスに送受信することからシグナリングデータを第２の帯域幅搬送波上でモバイルデバイスに送信することに遷移させることを含む。シグナリングデータを第２の搬送波上でモバイルデバイスに送信することからトラフィックデータを第１の搬送波上でモバイルデバイスに送受信することへの遷移が生じ得る。トラフィックデータを第１の搬送波上で送受信すること、およびシグナリングを第２の搬送波上で送信することへの遷移が行われ得る。第２の搬送波は、少なくとも第１の搬送波に関する情報を搬送できる。場合によっては、シグナリングデータを第２の搬送波上で受信できる。
【０１３２】
いくつかの実施形態では、少なくとも第１の搬送波または第２の搬送波はフレキシブル帯域幅搬送波を含む。第１の搬送波および第２の搬送波は共通のスケーリング係数を利用できる。いくつかの実施形態では、少なくとも第１の搬送波または第２の搬送波は通常の帯域幅搬送波を含む。
【０１３３】
少なくともトラフィックデータ、ネットワークデータ、もしくはシグナリングデータを送信および／または受信することは、少なくともシグナリング容量、トラフィック容量、またはページング容量を増加させることができる。シグナリングデータは、少なくとも（システム情報などの）ブロードキャストメッセージ、ページング、同期、またはパイロットデータを含むことができる。トラフィックデータは、トラフィックデータを支援するために、少なくともユーザデータまたは制御情報を含むことができる。信号データは、トラフィックデータを第１の搬送波上で送信するために必要であることも、必要でないこともある、少なくともセル構成パラメータ、ページ、またはオペレータ特定情報を含むことも可能であり、場合によっては、このデータはネットワークデータと呼ばれてもよい。いくつかの実施形態では、第２の搬送波はアイドルモードに関して利用され、第１の搬送波は接続モードに関して利用される。
【０１３４】
いくつかの実施形態では、第１の搬送波内および第２の搬送波内のユーザは少なくともコード、時間、または周波数によって分離される。第１の搬送波上のユーザを第２の搬送波上のユーザとは異なって分離できる。例えば、第１の搬送波内のユーザを時間によって分離することが可能であり、第２の搬送波上のユーザは周波数によって分離される。いくつかの実施形態では、第１の搬送波はＦＤＤを利用し、第２の搬送波はＴＤＤを利用する。
【０１３５】
いくつかの実施形態では、少なくとも第１の搬送波または第２の搬送波は、少なくともコード、時間、または周波数を利用して、順方向リンク伝送と逆方向リンク伝送とを分離する。第１の搬送波および第２の搬送波は、異なる方式で順方向リンク伝送と逆方向リンク伝送とを分離できる。
【０１３６】
いくつかの実施形態は、第１のスケーリング係数を利用して、第１の帯域幅搬送波の帯域幅をスケーリングすることと、第２のスケーリング係数を利用して、第２の帯域幅搬送波の帯域幅をスケーリングすることとを含む。第１のスケーリング係数および第２のスケーリング係数は、同じであっても、異なってもよい。少なくとも第１のスケーリング係数または第２のスケーリング係数を動的に調整できる。少なくとも第１のスケーリング係数または第２のスケーリング係数を動的に調整することは、少なくとも第１のスケーリング係数または第２のスケーリング係数を予測されるトラフィック需要に基づいて調整することを含むことができる。
【０１３７】
いくつかの実施形態は、トラフィックデータを第３の搬送波上で送受信することを含むことができる。シグナリングデータを第２の搬送波上で送信できる。シグナリングデータは、トラフィックデータ第３の搬送波に対応し得る。第２の搬送波は、少なくとも第１の搬送波または第３の搬送波に関する情報を搬送できる。第３の搬送波はフレキシブル帯域幅搬送波であってよい。いくつかの実施形態は、トラフィックデータを第３の搬送波上で送受信することと、シグナリングデータを第４の搬送波上で送信することとを含むことができる。第４の搬送波は、少なくとも第１の搬送波または第３の搬送波に関する情報を搬送することが可能であり、第２の搬送波は、少なくとも第１の搬送波または第３の搬送波に関する情報を搬送できる。第４の搬送波上のシグナリングデータはトラフィックデータ第３の搬送波に対応し得る。
【０１３８】
図１４Ｂを参照すると、無線通信の方法１４００−ｂの流れ図。方法１４００−ｂは、図１、図２Ａ、図２Ｂ、図３、図９、図１１、および／もしくは図１２に見られるモバイルデバイス１１５、図１、図２Ａ、図２Ｂ、図３、図１１、および／もしくは図１２に見られる基地局１０５、図１および／もしくは図１２に見られるコアネットワーク１３０またはコントローラ１２０、図８のデバイス８００、ならびに／あるいは図１０のデバイス１０００を含むが、これらに限定されない様々な無線通信デバイスを利用して実施できる。
【０１３９】
ブロック１４０２で、少なくともトラフィックデータを第１のフレキシブル帯域幅搬送波上で、またはシグナリングデータを第２のフレキシブル帯域幅搬送波上で送信または受信することへの遷移が行われ得る。場合によっては、シグナリングデータはトラフィックデータに対応し得る。ブロック１４０５−ａで、トラフィックデータを第１のフレキシブル帯域幅搬送波上で基地局からモバイルデバイスに送信できる。ブロック１４１０−ａで、シグナリングデータを他のトラフィックのいずれからも別に第２のフレキシブル帯域幅搬送波上で基地局からモバイルデバイスに送信できる。
【０１４０】
添付の図面に関して上で記載された詳細な説明は、例示的な実施形態について説明したものであり、実施可能な実施形態または請求項の範囲内にある実施形態だけを表すものではない。本明細書を通して使用される「例示的」という用語は、「例、事例、または例示としての役割を果たす」ことを意味し、「好ましい」または「他の実施形態に勝って有利である」ことを意味しない。詳細な説明は、説明された技法の理解をもたらすための特定の詳細を含む。しかし、これら技法をこれらの特定の詳細なしに実践できる。場合によっては、説明された実施形態の概念をあいまいにするのを避けるために、よく知られている構造およびデバイスはブロック図の形で示される。
【０１４１】
情報および信号は、様々な異なる技術および技法のうちのいずれかを使用して表される場合がある。例えば、上の説明を通して参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１４２】
本明細書の開示に関連して説明された様々な例示的なブロックおよびモジュールは、本明細書で説明された機能を行うように設計された汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェア構成要素、またはそれらの任意の組合せを用いて実施あるいは行われ得る。汎用プロセッサは、マイクロプロセッサであってよいが、代替では、プロセッサは、任意の従来のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサの組合せ、ＤＳＰコアとともに１つもしくは複数のマイクロプロセッサの組合せ、または任意の他のそのような構成として実施されることもできる。
【０１４３】
本明細書で説明された機能は、ハードウェア、プロセッサによって実行されるソフトウェア、ファームウェア、またはそれらの任意の組合せにおいて実施可能である。プロセッサによって実行されるソフトウェア内で実施される場合、これら機能をコンピュータ可読媒体上で１つもしくは複数の命令またはコードとして記憶あるいは送信できる。他の例および実装形態は、本開示および添付の請求項の範囲ならびに趣旨の範囲内である。例えば、ソフトウェアの性質により、上で説明された機能をプロセッサによって実行されるソフトウェア、ハードウェア、ファームウェア、ハードワイヤリング、またはこれらのうちのいずれかの組合せを使用して実施できる。機能を実施する特徴を、機能の一部が異なる物理的な位置で実施されるように分散されることを含めて、様々な位置に物理的に配置することもできる。また、請求項内を含めて、本明細書で使用される場合、「の少なくとも１つ」が前置きされる項目のリスト内で使用される「または」は、例えば、「Ａ、Ｂ、またはＣのうちの少なくとも１つ」のリストが、ＡもしくはＢ、もしくはＣ、もしくはＡＢ、もしくはＡＣ、もしくはＢＣ、またはＡＢＣ（すなわち、ＡおよびＢならびにＣ）であるように、離接的なリストを示す。
【０１４４】
コンピュータ可読媒体は、コンピュータ記憶媒体と、コンピュータプログラムのある場所から別の場所への転送を円滑にする任意の媒体を含む通信媒体の両方を含む。記憶媒体は、汎用コンピュータまたは専用コンピュータによってアクセス可能な任意の利用可能な媒体であってよい。限定ではなく、例として、コンピュータ可読媒体は、所望されるプログラムコード手段を命令もしくはデータ構造の形で搬送または記憶するために使用可能であり、かつ汎用コンピュータもしくは専用コンピュータ、または汎用プロセッサもしくは専用プロセッサによってアクセス可能な、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶デバイス、または任意の他の媒体を備えることができる。また、任意の接続は、適切には、コンピュータ可読媒体と名付けられる。例えば、ソフトウェアが同軸ケーブル、光ファイバーケーブル、より対線、デジタル加入者線（ＤＳＬ）、または赤外線、無線、およびマイクロ波などの無線技術を使用して、ウェブサイト、サーバ、または他の遠隔ソースから送信される場合、同軸ケーブル、光ファイバーケーブル、より対線、ＤＳＬ、または赤外線、無線、およびマイクロ波などの無線技術は媒体の定義内に含まれる。本明細書で使用される場合、ディスク（ｄｉｓｋ）およびディスク（ｄｉｓｃ）は、コンパクトディスク（ＣＤ）と、レーザーディスク（登録商標）と、光ディスクと、デジタル多用途ディスク（ＤＶＤ）と、フロッピー（登録商標）ディスクと、ｂｌｕ−ｒａｙ（登録商標）ディスクとを含み、この場合、ディスク（ｄｉｓｋｓ）は、通常、データを磁気的に再生し、一方、ディスク（ｄｉｓｃｓ）は、レーザを用いて、データを光学的に再生する。上記の組合せも、コンピュータ可読媒体の範囲に含まれる。
【０１４５】
本開示の前述の説明は、当業者が本開示を行うこと、または本開示を使用することを可能にするために提供される。本開示に対する様々な修正は当業者に容易に分かるであろうし、本開示の趣旨または範囲から逸脱せずに、本明細書で定義された一般原理を他の変形例に適用できる。本開示を通して「例」または「例示的」という用語は、例または事例を示し、述べられた例に関する何らかの選好を意味せず、またはそのような選好を必要としない。従って、本開示は、本明細書で説明された例および設計に限定されず、本明細書で開示された原理および新規性のある特徴に一致する最大範囲が与えられるものである。
【図１】
2019004473.tif 000003
【図２Ａ】
2019004473.tif 000004
【図２Ｂ】
2019004473.tif 000005
【図３】
2019004473.tif 000006
【図４】
2019004473.tif 000007
【図５Ａ】
2019004473.tif 000008
【図５Ｂ】
2019004473.tif 000009
【図６Ａ】
2019004473.tif 000010
【図６Ｂ】
2019004473.tif 000011
【図７Ａ】
2019004473.tif 000012
【図７Ｂ】
2019004473.tif 000013
【図７Ｃ】
2019004473.tif 000014
【図７Ｄ】
2019004473.tif 000015
【図７Ｅ】
2019004473.tif 000016
【図８】
2019004473.tif 000017
【図９】
2019004473.tif 000018
【図１０】
2019004473.tif 000019
【図１１】
2019004473.tif 000020
【図１２】
2019004473.tif 000021
【図１３Ａ】
2019004473.tif 000022
【図１３Ｂ】
2019004473.tif 000023
【図１４Ａ】
2019004473.tif 000024
【図１４Ｂ】
2019004473.tif 000025
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
トラフィックデータを第１の搬送波上で少なくとも送信または受信することと、ここにおいて前記第１の搬送波は、第１のスケーリング係数を使用して動的に調整可能である第１の帯域幅のスケールされたフレキシブル帯域幅搬送波を備える、
前記トラフィックデータに関連付けられたシグナリングデータを他のトラフィックデータのいずれからも別に第２の搬送波上で送信することと、ここにおいて前記第２の搬送波は、第２のスケーリング係数を使用して動的に調整可能である第２の帯域幅のスケールされたフレキシブル帯域幅搬送波を備える、
を備える、無線通信デバイスのための方法。
【手続補正２】
【補正対象書類名】明細書
【補正対象項目名】０００７
【補正方法】変更
【補正の内容】
【０００７】
いくつかの実施形態では、少なくとも第１の搬送波または第２の搬送波がフレキシブル帯域幅搬送波を含む。いくつかの実施形態では、第１の搬送波が第１の帯域幅を利用し、第２の搬送波が第２の帯域幅を利用する。いくつかの実施形態は、第１のスケーリング係数を利用して、第１の帯域幅をスケーリングすること、および／または第２のスケーリング係数を利用して、第２の帯域幅をスケーリングすることを含む。少なくとも第１の帯域幅または第２の帯域幅は動的に調整され得る。少なくとも第１の帯域幅または第２の帯域幅を動的に調整することは、少なくとも第１の帯域幅または第２の帯域幅を予測されるトラフィック需要に基づいて調整することを含み得る。いくつかの実施形態では、少なくとも、第１のスケーリング係数を利用して第１の帯域幅をスケーリングすること、または第２のスケーリング係数を利用して第２の帯域幅をスケーリングすることが、異なるスケーリング係数を利用して、少なくとも第１の帯域幅もしくは第２の帯域幅について少なくともアップリンクまたはダウンリンクをスケーリングすることを含む。
【手続補正３】
【補正対象書類名】明細書
【補正対象項目名】０００８
【補正方法】変更
【補正の内容】
【０００８】
いくつかの実施形態は、トラフィックデータを第１の搬送波上で少なくとも送信または受信すること、および／またはシグナリングデータを他のトラフィックデータのいずれからも別に第２の搬送波上で送信することを含む無線通信の方法を含む。いくつかの実施形態は、トラフィックデータを第１の搬送波上でモバイルデバイスにまたはから少なくとも送信または受信することからシグナリングデータを第２の搬送波上でモバイルデバイスに送信することに遷移させることを含む。いくつかの実施形態は、シグナリングデータを第２の搬送波上でモバイルデバイスに送信することからトラフィックデータを第１の搬送波上でモバイルデバイスにまたはから少なくとも送信または受信することに遷移させることを含む。いくつかの実施形態は、トラフィックデータを第１の搬送波上で少なくとも送信または受信すること、およびシグナリングデータを第２の搬送波上で送信することへの遷移を行うことを含む。いくつかの実施形態では、第２の搬送波が少なくとも第１の搬送波に関する情報を搬送する。いくつかの実施形態は、シグナリングデータを第２の搬送波上で受信することを含む。
【手続補正４】
【補正対象書類名】明細書
【補正対象項目名】００２１
【補正方法】変更
【補正の内容】
【００２１】
いくつかの実施形態は、トラフィックデータを第１の搬送波上で少なくとも送信または受信するための手段、および／またはシグナリングデータを他のトラフィックデータのいずれからも別に第２の搬送波上で送信するための手段を含む無線通信システムを含む。このシステムは、トラフィックデータを第１の搬送波上でモバイルデバイスにまたはから少なくとも送信または受信することからシグナリングデータを第２の搬送波上でモバイルデバイスに送信することに遷移させるための手段を含むことができる。このシステムは、シグナリングデータを第２の搬送波上でモバイルデバイスに送信することからトラフィックデータを第１の搬送波上でモバイルデバイスにまたはから少なくとも送信または受信することに遷移させるための手段を含むことができる。いくつかの実施形態は、トラフィックデータを第１の搬送波上で少なくとも送信または受信すること、およびシグナリングデータを第２の搬送波上で送信することへの遷移を行うための手段を含む。いくつかの実施形態は、トラフィックデータを第３の搬送波上で少なくとも送信または受信するための手段、および／またはシグナリングデータを第２の搬送波上で送信するための手段を含む。第２の搬送波は、少なくとも第１の搬送波または第２の搬送波に関する情報を含むことができる。
【手続補正５】
【補正対象書類名】明細書
【補正対象項目名】００２２
【補正方法】変更
【補正の内容】
【００２２】
いくつかの実施形態は、トラフィックデータを第１の搬送波上で少なくとも送信または受信するためのコード、および／またはシグナリングデータを他のトラフィックデータのいずれからも別に第２の搬送波上で送信するためのコードを含む非一時的コンピュータ可読媒体を含む、無線通信システムのためのコンピュータプログラム製品を含む。この非一時的コンピュータ可読媒体は、トラフィックデータを第１の搬送波上でモバイルデバイスにまたはから少なくとも送信または受信することからシグナリングデータを第２の搬送波上でモバイルデバイスに送信することに遷移させるためのコードを含むことができる。いくつかの実施形態は、シグナリングデータを第２の搬送波上でモバイルデバイスに送信することからトラフィックデータを第１の搬送波上でモバイルデバイスにまたはから少なくとも送信または受信することに遷移させるためのコードを含む。この非一時的コンピュータ可読媒体は、トラフィックデータを第１の搬送波上で少なくとも送信または受信すること、およびシグナリングデータを第２の搬送波上で送信することへの遷移を行うためのコードを含むことができる。この非一時的コンピュータ可読媒体は、トラフィックデータを第３の搬送波上で少なくとも送信または受信するためのコード、および／またはシグナリングデータを第２の搬送波上で送信するためのコードを含むことが可能であり、第２の搬送波は少なくとも第１の搬送波または第３の搬送波に関する情報を搬送する。
【手続補正６】
【補正対象書類名】明細書
【補正対象項目名】００２３
【補正方法】変更
【補正の内容】
【００２３】
いくつかの実施形態は、トラフィックデータを第１の搬送波上で少なくとも送信または受信し、かつ／またはシグナリングデータを他のトラフィックデータのいずれからも別に第２の搬送波上で送信するように構成された、少なくとも１つのプロセッサを含む無線デバイスを含む。デバイスは、少なくとも１つのプロセッサに結合された少なくとも１つのメモリを含むことができる。この少なくとも１つのプロセッサは、トラフィックデータを第１の搬送波上でモバイルデバイスにまたはから少なくとも送信または受信することからシグナリングデータを第２の搬送波上でモバイルデバイスに送信することに遷移させるように構成できる。この少なくとも１つのプロセッサは、シグナリングデータを第２の搬送波上でモバイルデバイスに送信することからトラフィックデータを第１の搬送波上でモバイルデバイスに送信することに遷移させるように構成できる。この少なくとも１つのプロセッサは、トラフィックデータを第１の搬送波上で少なくとも送信または受信すること、およびシグナリングデータを第２の搬送波上で送信することへの遷移を行うように構成できる。この少なくとも１つのプロセッサは、トラフィックデータを第３の搬送波上で少なくとも送信または受信し、かつ／またはシグナリングデータを第２の搬送波上で送信するように構成できる。第２の搬送波は少なくとも第１の搬送波または第３の搬送波に関する情報を搬送できる。
【手続補正７】
【補正対象書類名】明細書
【補正対象項目名】００３６
【補正方法】変更
【補正の内容】
【００３６】
モバイルデバイス１１５および／または基地局１０５のうちのいくつかは、第１のスケーリング係数を利用して、第１の搬送波の帯域幅をスケーリングし、第２のスケーリング係数を利用して、第２の搬送波の帯域幅をスケーリングするように構成できる。第１のスケーリング係数および第２のスケーリング係数は同じであっても、異なってもよい。スケーリング係数は単一であってよい。スケーリング係数を特定のフレキシブル帯域幅と関連付けることができる。モバイルデバイス１１５および／または基地局１０５のうちのいくつかは、少なくとも第１のスケーリング係数または第２のスケーリング係数を動的に調整できる。少なくとも第１のスケーリング係数または第２のスケーリング係数を動的に調整することは、少なくとも第１のスケーリング係数または第２のスケーリング係数を予測されるトラフィック需要に基づいて調整することを含むことができる。
【手続補正８】
【補正対象書類名】明細書
【補正対象項目名】００４６
【補正方法】変更
【補正の内容】
【００４６】
図５Ａは、シグナリングとトラフィックとが結合されてよい例５００−ａを示す。組み合わされたシグナリングおよびトラフィック５１０は、通常の、すなわち、Ｎ＝１の帯域幅システムを示し、組み合わされたシグナリングおよびトラフィック５１５は、この例ではＮ＞１である、フレキシブル帯域幅システムを示す。これら２つの事例では、シグナリング情報およびトラフィック情報は、それぞれ、１個のコードおよびＫ−１個のコードを使用して搬送され得る。図５Ｂは、様々な実施形態による、シグナリングとトラフィックとをスプリットする例５００−ｂを示す。例５００−ｂは、Ｎ＞１であるフレキシブル帯域幅の使用を示す。この例では、Ｋ個のコードをシグナリングに割り当てることができるため、シグナリングはコード５２０−１、．．．、５２０−ｋを使用して搬送され得る。図５Ａおよび図５Ｂは、非フレキシブル帯域幅システム内のパケットの伝送時間が（伝送に関して１個のコードを使用して）Ｔｍｓかかる場合、同じパケットがスケーリング係数Ｎを用いてフレキシブル帯域幅システム内で送信されるとき、伝送がＮ×Ｔｍｓかかることを示す。ｋ個のコードをシグナリングに割り当てることができるように、シグナリング搬送波とデータ搬送波とが分離されるとき、同じパケットの伝送時間をＮ×Ｔ／ｋｍｓまで削減できる。図５Ｂは、フレーム構造またはスロット構造に基づく例を示すが、いくつかの実施形態は、メッセージ構造に基づいて実施できる。コードの代わりに、（例えば、ＣＤＭＡ２０００  １ＸＥＶ−ＤＯでは）時間または周波数（例えば、ＬＴＥ）に関して同様の類推を行うことができる。
【手続補正９】
【補正対象書類名】明細書
【補正対象項目名】００５１
【補正方法】変更
【補正の内容】
【００５１】
いくつかの実施形態では、異なる搬送波を異なるモバイルデバイス状態にマッピングできる。例えば、ＬＴＥでは、特に、シグナリング搬送波をアイドルモードに使用し、トラフィックを接続モードに使用できる。ＵＭＴＳでは、例えば、ＩＤＬＥモード、
ＣＥＬＬ＿ＦＡＣＨモード、ＣＥＬＬ＿ＤＣＨモード、ＵＲＡ＿ＰＣＨモード、および／またはＣＥＬＬ＿ＰＣＨモードでデータを搬送するために異なる搬送波を使用できる。いくつかの実施形態では、ＩＤＬＥおよび／またはＵＲＡ＿ＰＣＨ／ＣＥＬＬ＿ＰＣＨを同じシグナリング搬送波内で搬送することができ（これらはモバイルデバイスがネットワークから情報を受信できるが、送信することはできない状態である）、ＣＥＬＬ＿ＤＣＨ状態および／またはＣＥＬＬ＿ＦＡＣＨ状態（モバイルデバイスがネットワークからデータをアクティブに送受信できる状態）を同じトラフィック搬送波内で搬送できる。
【手続補正１０】
【補正対象書類名】明細書
【補正対象項目名】００５４
【補正方法】変更
【補正の内容】
【００５４】
単に例として、モバイルデバイスは、シグナリングフレキシブル帯域幅搬送波およびトラフィックフレキシブル帯域幅搬送波を利用することに関して、いくつかの異なる動作を行い得る。例えば、モバイルデバイスは、電源をオンにして、シグナリングフレキシブル帯域幅搬送波を聴取できる。場合によっては、モバイルデバイスは、モバイルデバイスが、シグナリング搬送波であってよい搬送波上にいつキャンプしている（camping）かを認識することができない。モバイルデバイスは、モバイルデバイスがアイドルモードで動作するのを可能にするためにブロードキャストされたシステム情報を含むことが可能なシステム情報を得ることができる。モバイルデバイスは、次いで、シグナリングフレキシブル帯域幅搬送波を使用して、ネットワークに登録できる。モバイルデバイスは、ページを聴取して、他のシグナリングフレキシブル帯域幅搬送波および／またはトラフィックフレキシブル帯域幅搬送波を監視できる。シグナリング搬送波上にキャンプしている間、モバイルデバイスは、ページを受信できるか、または、場合によっては、モバイルデバイスが、選択されたフレキシブル帯域幅トラフィック搬送波にどのようにアクセスするにかについての特定の情報に関して接続モードシステム情報を読み取ることができるように、呼を発信することを望む場合がある。モバイルデバイスは、ＣＥＬＬ＿ＦＡＣＨ／ＣＥＬＬ＿ＤＣＨをサポートするフレキシブル帯域幅トラフィック搬送波に同調することができ、呼を行うため、および／または呼を受信するために、トラフィックチャネル上の無線リソースを要求できる。トラフィック搬送波上で、モバイルデバイスはフレキシブル帯域幅搬送波上でパケットデータもしくは音声データを送信および／または受信することができ、その呼が完了したとき、そのモバイルデバイスが遷移させることを意図する次の搬送波にアクセスするための支援データ（例えば、シグナリングフレキシブル帯域幅搬送波に関するタイミング情報）を要求および／または受信することもできる。呼が完了すると、モバイルデバイスはコアネットワークリソース（すなわち、ベアラ）を開放することができ、モバイルデバイスは、（ＩＤＬＥモードをサポートする）シグナリングフレキシブル帯域幅搬送波を再選択し、その上にキャンプできる。この例は、シグナリング搬送波がアイドルモードだけをサポートすることが可能であり、トラフィック搬送波がＣＥＬＬ＿ＦＡＣＨ状態／ＣＥＬＬ＿ＤＣＨ状態をサポートするＵＭＴＳ  ＷＣＤＭＡリリース９９シナリオに関する。いくつかの実施形態は、他の状態、分割および／またはグループ（例えば、あるクラスのオーバヘッドメッセージ、ページングなど）を利用できる。
【手続補正１１】
【補正対象書類名】明細書
【補正対象項目名】００５５
【補正方法】変更
【補正の内容】
【００５５】
いくつかの実施形態は、ＵＭＴＳを利用して実施できる。通常のＵＭＴＳ搬送波は、今日、同じ搬送波内のすべてのモバイルデバイス状態（すなわち、通常のＵＭＴＳ搬送波＝ＩＤＬＥ＋ＣＥＬＬ＿ＦＡＣＨ＋ＣＥＬＬ＿ＰＣＨ＋ＣＥＬＬ＿ＤＣＨ）をサポートする。いくつかの実施形態では、これら構成に対するサポートを提供する異なるシグナリング搬送波およびトラフィック搬送波が可能である。例えば、シグナリングはシグナリング搬送波上で生じ得る。いくつかの実施形態では、ＩＤＬＥ、ＵＲＡ＿ＰＣＨ、およびＣＥＬＬ＿ＰＣＨを別個のシグナリング搬送波上でサポートすることが可能であり、ＣＥＬＬ＿ＦＡＣＨ状態およびＣＥＬＬ＿ＤＣＨ状態を別個のトラフィック搬送波内でサポートすることもできる。いくつかの実施形態では、シグナリング搬送波は、ＩＤＬＥとＣＥＬＬ＿ＰＣＨ／ＵＲＡ＿ＰＣＨ状態の両方を含むことが可能であり、トラフィック搬送波は、ＣＥＬＬ＿ＤＣＨ状態とＣＥＬＬ＿ＦＡＣＨ状態の両方を含むこともできる。
【手続補正１２】
【補正対象書類名】明細書
【補正対象項目名】００５６
【補正方法】変更
【補正の内容】
【００５６】
いくつかの実施形態は、シグナリング搬送波上にシグナリングと（特に、登録など、ＮＡＳ移動度に関する）小型パケット伝送とを含むことができる。それらの事例では、シグナリング搬送波は、ＩＤＬＥ状態とＣＥＬＬ＿ＦＡＣＨ状態の両方、またはＣＥＬＬ＿ＰＣＨ／ＵＲＡ＿ＰＣＨとＣＥＬＬ＿ＦＡＣＨ状態の両方を含むことが可能であり、トラフィック搬送波は、ＣＥＬＬ  ＤＣＨ状態、ＣＥＬＬ＿ＦＡＣＨ状態、またはＣＥＬＬ＿ＤＣＨ状態とＣＥＬＬ＿ＦＡＣＨ状態の両方を含むことができる。いくつかの実施形態では、シグナリング搬送波は、ＩＤＬＥ、ＣＥＬＬ＿ＦＡＣＨ、およびＣＥＬＬ＿ＰＣＨ／ＵＲＡ＿ＰＣＨを含むことが可能であり、トラフィック搬送波は、ＣＥＬＬ＿ＤＣＨ、ＣＥＬＬ＿ＦＡＣＨ、またはＣＥＬＬ＿ＤＣＨおよびＣＥＬＬ＿ＦＡＣＨ状態を含むことができる。シグナリング搬送波はＣＥＬＬ＿ＦＡＣＨをサポートできるが、ＣＥＬＬ＿ＦＡＣＨ状態専用のリソースは、ＩＤＬＥ／ＣＥＬＬ＿ＰＣＨ状態と比較して最小であり得ることに留意されたい。従って、中から高データレートの伝送を送信するためにモバイルデバイスが移動できるＣＥＬＬ＿ＦＡＣＨまたはＣＥＬＬ＿ＤＣＨを有する他のトラフィック搬送波が存在する場合がある。
【手続補正１３】
【補正対象書類名】明細書
【補正対象項目名】００９８
【補正方法】変更
【補正の内容】
【００９８】
いくつかの実施形態は、トラフィックデータを第１の搬送波上でモバイルデバイスに／から送信および／または受信することからシグナリングデータを第２の搬送波上でモバイルデバイスに送信することに遷移させるようにデデバイス１０００を構成させることを含む。シグナリングデータを第２の搬送波上でモバイルデバイスに送信することからトラフィックデータを第１の搬送波上でモバイルデバイスに送信および／または受信することに遷移させることも生じ得る。基地局は、トラフィックデータを第１の搬送波上で送信および／または受信することへの遷移、およびシグナリングデータを第２の搬送波上で送信することへの遷移を行い得る。
【手続補正１４】
【補正対象書類名】明細書
【補正対象項目名】０１０４
【補正方法】変更
【補正の内容】
【０１０４】
いくつかの実施形態は、トラフィック搬送波モジュール１０１５を使用して、トラフィックデータを第３の搬送波上で送信および／または受信することを含むことができる。シグナリング搬送波モジュール１０１０を使用して、シグナリングデータを第２の搬送波上で送信できる。信号データは、第３の搬送波上のトラフィックデータに対応し得る。第２の搬送波は、第１の搬送波および／または第３の搬送波に関する情報を搬送できる。第３の搬送波はフレキシブル帯域幅搬送波であってよい。いくつかの実施形態は、トラフィックデータを第３の搬送波上で送信および／または受信することと、シグナリングデータを第４の搬送波上で送信することとを含むことができる。第４の搬送波は、第１の搬送波および／または第３の搬送波に関する情報を搬送することができ、第２の搬送波は、第１の搬送波および／または第３の搬送波に関する情報を搬送できる。
【手続補正１５】
【補正対象書類名】明細書
【補正対象項目名】０１０７
【補正方法】変更
【補正の内容】
【０１０７】
メモリ１１７０は、ランダムアクセスメモリ（ＲＡＭ）と、読出し専用メモリ（ＲＯＭ）とを含むことができる。メモリ１１７０は、実行されたとき、プロセッサモジュール１１６５に本明細書で説明される様々な機能（例えば、呼処理、データベース管理、メッセージルーティングなど）を行わせるように構成された命令を含む、コンピュータ可読、コンピュータ実行可能ソフトウェア１１７１を記憶することもできる。あるいは、ソフトウェア１１７１は、プロセッサモジュール１１６５によって直接的に実行可能でなくてよいが、例えば、コンパイルおよび実行されたとき、コンピュータに本明細書で説明される機能を行わせるように構成できる。
【手続補正１６】
【補正対象書類名】明細書
【補正対象項目名】０１１２
【補正方法】変更
【補正の内容】
【０１１２】
基地局１０５−ｄは、スペクトル識別モジュールを含むこともできる。スペクトル識別モジュールは、フレキシブル波形に関して利用可能なスペクトルを識別するために利用できる。いくつかの実施形態では、ハンドオーバモジュール１１２５は、再選択手順と、ある基地局１０５から別の基地局へのモバイルデバイス１１５−ｆのハンドオーバ手順とを行うために利用できる。例えば、ハンドオーバモジュール１１２５は、モバイルデバイス１１５−ｆのシグナリング搬送波から別のシグナリング搬送波への、あるトラフィック搬送波から別のトラフィック搬送波への、かつシグナリング搬送波とトラフィック搬送波との間のハンドオーバ手順を行い得る。これら搬送波をサポートする基地局１０５は、モバイルデバイス１１５−ｆと基地局１０５との間で通常波形またはフレキシブル波形を利用できる。いくつかの実施形態では、遷移モジュール８１２−ｂおよびハンドオーバモジュール１１２５を１つのモジュールに結合させることができる。スケーリングモジュール１１１０は、フレキシブル波形を生成する目的で、チップレートをスケーリングおよびまたは変更するために利用できる。
【手続補正１７】
【補正対象書類名】明細書
【補正対象項目名】０１１５
【補正方法】変更
【補正の内容】
【０１１５】
送信プロセッサ１２２０はデータを処理できる。送信プロセッサ１２２０は、基準シンボルとセル特定基準信号とを生成することもできる。送信（ＴＸ）ＭＩＭＯプロセッサ１２３０は、適用可能な場合、データシンボル、制御シンボル、および／または基準シンボルに関する空間処理（例えば、プリコーディング）を行い、出力シンボルストリームを送信変調器１２３２−ａ〜１２３２−ｘに提供し得る。各送信変調器１２３２は、出力サンプルストリームを取得するために（例えば、ＯＦＤＭなどに関して）該当の出力シンボルストリームを処理できる。各送信変調器１２３２は、ダウンリンク（ＤＬ）信号を取得するために、出力サンプルストリームをさらに処理（例えば、アナログに変換、増幅、フィルタリング、およびアップコンバート）できる。一例では、送信変調器１２３２−ａ〜１２３２−ｘからのＤＬ信号は、それぞれ、アンテナ１２３４−ａ〜１２３４−ｘを介して送信できる。送信プロセッサ１２２０は、プロセッサ１２４０から情報を受信できる。プロセッサ１２４０はメモリ１２４２に結合できる。プロセッサ１２４０は、チップレートを変更すること、および／またはスケーリング係数を利用することによって、フレキシブル波形を生成するように構成可能であり、場合によっては、これを動的に行うことができる。プロセッサ１２４０は、異なる位置合わせ手順および／またはオフセット手順を提供することもできる。プロセッサ１２４０は、他のサブシステムに関する測定を行うため、他のサブシステムに対するハンドオフを行うため、再選択を行うためなどに、スケーリング情報および／またはチップレート情報を利用できる。プロセッサ１２４０は、パラメータスケーリングによって、フレキシブル帯域幅の使用に関連する時間延長の影響を反転できる。いくつかの実施形態では、プロセッサ１２４０は、シグナリングとデータトラフィックとを、フレキシブル帯域幅搬送波であってよい異なる搬送波に分離するように構成できる。場合によっては、割り当てたれたリソースをトラフィックパターンに合わせてカスタマイズできるように、これを利用できる。いくつかの実施形態では、プロセッサ１２４０は、汎用プロセッサ、送信プロセッサ１２２０、および／または受信プロセッサ１２３８の一部として実施できる。
【手続補正１８】
【補正対象書類名】明細書
【補正対象項目名】０１１７
【補正方法】変更
【補正の内容】
【０１１７】
アップリンク（ＵＬ）上で、モバイルデバイス１１５−ｇにおいて、送信プロセッサ１２６４は、データソースからデータを受信し、処理できる。送信プロセッサ１２６４は、基準信号に関する基準シンボルを生成することもできる。送信プロセッサ１２６４からのシンボルは、適用可能な場合、送信ＭＩＭＯプロセッサ１２６６によってプリコーディングされ、（例えば、ＳＣ−ＦＤＭＡなどの場合）復調器１２５４−ａ〜１２５４−ｎによってさらに処理され、基地局１０５−ｅから受信した送信パラメータに従って、基地局１０５−ｅに送信されてもよい。送信プロセッサ１２６４は、チップレートを変更することおよび／またはスケーリング係数を利用することによって、フレキシブル波形を生成するようにも構成可能であり、場合によっては、これを動的に行うことができる。送信プロセッサ１２６４はプロセッサ１２８０から情報を受信できる。プロセッサ１２８０は、異なる位置合わせ手順および／またはオフセット手順を提供できる。プロセッサ１２８０は、他のサブシステムに関する測定を行うため、他のサブシステムに対するハンドオフを行うため、再選択を行うためなどに、スケーリング情報および／またはチップレート情報を利用することもできる。プロセッサ１２８０は、パラメータスケーリングによって、フレキシブル帯域幅の使用と関連付けられた時間延長の効果を反転できる。基地局１０５−ｅにおいて、モバイルデバイス１１５−ｇからのＵＬ信号を、アンテナ１２３４によって受信し、復調器１２３２によって処理し、適用可能な場合、ＭＩＭＯ検出器１２３６によって検出し、受信プロセッサによってさらに処理できる。受信プロセッサ１２３８は、復号されたデータをデータ出力に提供し、プロセッサ１２８０に提供できる。いくつかの実施形態では、プロセッサ１２８０は、シグナリングとデータトラフィックとをフレキシブル帯域幅搬送波であってよい異なる搬送波に分離するように構成できる。場合によっては、割り当てられたリソースをトラフィックパターンに合わせてカスタマイズできるように、これを利用できる。いくつかの実施形態では、プロセッサ１２８０は、汎用プロセッサ、送信プロセッサ１２６４、および／または受信プロセッサ１２５８の一部として実施できる。
【手続補正１９】
【補正対象書類名】明細書
【補正対象項目名】０１３７
【補正方法】変更
【補正の内容】
【０１３７】
いくつかの実施形態は、トラフィックデータを第３の搬送波上で送受信することを含むことができる。シグナリングデータを第２の搬送波上で送信できる。シグナリングデータは、トラフィックデータ第３の搬送波に対応し得る。第２の搬送波は、少なくとも第１の搬送波または第３の搬送波に関する情報を搬送できる。第３の搬送波はフレキシブル帯域幅搬送波であってよい。いくつかの実施形態は、トラフィックデータを第３の搬送波上で送受信することと、シグナリングデータを第４の搬送波上で送信することとを含むことができる。第４の搬送波は、少なくとも第１の搬送波または第３の搬送波に関する情報を搬送することが可能であり、第２の搬送波は、少なくとも第１の搬送波または第３の搬送波に関する情報を搬送できる。第４の搬送波上のシグナリングデータは第３の搬送波上のトラフィックデータに対応し得る。
【手続補正２０】
【補正対象書類名】明細書
【補正対象項目名】０１４５
【補正方法】変更
【補正の内容】
【０１４５】
本開示の前述の説明は、当業者が本開示を行うこと、または本開示を使用することを可能にするために提供される。本開示に対する様々な修正は当業者に容易に分かるであろうし、本開示の趣旨または範囲から逸脱せずに、本明細書で定義された一般原理を他の変形例に適用できる。本開示を通して「例」または「例示的」という用語は、例または事例を示し、述べられた例に関する何らかの選好を意味せず、またはそのような選好を必要としない。従って、本開示は、本明細書で説明された例および設計に限定されず、本明細書で開示された原理および新規性のある特徴に一致する最大範囲が与えられるものである。
以下に、本願出願の当初の特許請求の範囲に記載された発明を付記する。
[Ｃ１]
シグナリングデータを第１の搬送波上で受信することと、
前記シグナリングデータを前記第１の搬送波上で受信することからトラフィックデータを第２の搬送波上で少なくとも送信または受信することに遷移させることと
を備える、無線通信の方法。
[Ｃ２]
前記トラフィックデータを前記第２の搬送波上で少なくとも送信または受信することから前記シグナリングデータを前記第１の搬送波上で受信することへの遷移を行うこと
をさらに備える、Ｃ１に記載の方法。
[Ｃ３]
前記トラフィックデータを前記第２の搬送波上で少なくとも送信または受信することから前記トラフィックデータを第３の搬送波上で少なくとも送信または受信することに遷移させること
をさらに備える、Ｃ１に記載の方法。
[Ｃ４]
前記シグナリングデータを前記第１の搬送波上で受信することから前記シグナリングデータを第４の搬送波上で受信することに遷移させること
をさらに備える、Ｃ２に記載の方法。
[Ｃ５]
シグナリングデータを前記第１の搬送波上で送信すること
をさらに備える、Ｃ１に記載の方法。
[Ｃ６]
前記第１の搬送波が前記第２の搬送波に関する情報を搬送する、Ｃ１に記載の方法。
[Ｃ７]
前記シグナリングデータを前記第１の搬送波上で受信すること、および前記トラフィックデータを前記第２の搬送波上で少なくとも送信または受信することがモバイルデバイスで生じる、Ｃ１に記載の方法。
[Ｃ８]
少なくとも前記第１の搬送波または前記第２の搬送波がフレキシブル帯域幅搬送波を備える、Ｃ１に記載の方法。
[Ｃ９]
前記第１の搬送波が第１の帯域幅を利用し、前記第２の搬送波が第２の帯域幅を利用する、Ｃ１に記載の方法。
[Ｃ１０]
第１のスケーリング係数を利用して、前記第１の帯域幅をスケーリングすることと、
第２のスケーリング係数を利用して、前記第２の帯域幅をスケーリングすることと
をさらに備える、Ｃ９に記載の方法。
[Ｃ１１]
少なくとも前記第１の帯域幅または前記第２の帯域幅を動的に調整すること
をさらに備える、Ｃ１０に記載の方法。
[Ｃ１２]
少なくとも前記第１の帯域幅または前記第２の帯域幅を動的に調整することが、
少なくとも前記第１の帯域幅または前記第２の帯域幅を予測されるトラフィック需要に基づいて調整すること
を備える、Ｃ１１に記載の方法。
[Ｃ１３]
前記第１のスケーリング係数を利用して、少なくとも前記第１の帯域幅をスケーリングすること、または前記第２の係数を利用して、前記第２の帯域幅をスケーリングすることが、
異なるスケーリング係数を利用して、少なくとも前記第１の帯域幅もしくは前記第２の帯域幅について少なくともアップリンクまたはダウンリンクをスケーリングすること
をさらに備える、Ｃ９に記載の方法。
[Ｃ１４]
トラフィックデータを第１の搬送波上で少なくとも送信または受信することと、
シグナリングデータを他のトラフィックデータのいずれからも別に第２の搬送波上で送信することと
を備える、無線通信の方法。
[Ｃ１５]
前記トラフィックデータを前記第１の搬送波上でモバイルデバイスに少なくとも送信または受信することから前記シグナリングデータを前記第２の搬送波上で前記モバイルデバイスに送信することに遷移させること
をさらに備える、Ｃ１４に記載の方法。
[Ｃ１６]
前記シグナリングデータを前記第２の搬送波上で前記モバイルデバイスに送信することから前記トラフィックデータを前記第１の搬送波上で前記モバイルデバイスに少なくとも送信または受信することに遷移させること
をさらに備える、Ｃ１５に記載の方法。
[Ｃ１７]
前記トラフィックデータを前記第１の搬送波上で少なくとも送信または受信すること、および前記シグナリングデータを前記第２の搬送波上で送信することへの遷移を行うこと
をさらに備える、Ｃ１４に記載の方法。
[Ｃ１８]
前記第２の搬送波が少なくとも前記第１の搬送波に関する情報を搬送する
Ｃ１４に記載の方法。
[Ｃ１９]
シグナリングデータを前記第２の搬送波上で受信すること
をさらに備える、Ｃ１４に記載の方法。
[Ｃ２０]
少なくとも前記第１の搬送波または前記第２の搬送波がフレキシブル帯域幅搬送波を備える、Ｃ１４に記載の方法。
[Ｃ２１]
前記第１の帯域幅および前記第２の帯域幅が共通のスケーリング係数を利用する、Ｃ２０に記載の方法。
[Ｃ２２]
少なくとも前記第１の搬送波または前記第２の搬送波が通常の帯域幅搬送波を備える、Ｃ２０記載の方法。
[Ｃ２３]
前記トラフィックデータを少なくとも送信または受信すること、または前記シグナリングデータを送信することが、少なくともシグナリング容量、トラフィック容量、またはページング容量を増加させる、Ｃ１４に記載の方法。
[Ｃ２４]
前記シグナリングデータが、トラフィックデータを前記第１の搬送波上で送信するために必要であることも、必要でないこともある、少なくともブロードキャストメッセージ、システム情報ページング、同期、パイロットデータ、セル構成パラメータ、ページ、またはオペレータ特定情報を備える、Ｃ１４に記載の方法。
[Ｃ２５]
前記トラフィックデータが、前記トラフィックデータを支援するために、少なくともユーザデータまたは制御情報を備える、Ｃ１４に記載の方法。
[Ｃ２６]
前記第２の搬送波がアイドルモードに関して使用され、前記第１の帯域幅搬送波が接続モードに関して利用される、Ｃ１４に記載の方法。
[Ｃ２７]
前記第１の搬送波内および前記第２の搬送波内のユーザが、少なくともコード、時間、または周波数によって分離される、Ｃ１４に記載の方法。
[Ｃ２８]
前記第１の搬送波上のユーザが前記第２の搬送波上のユーザとは異なって分離される、Ｃ１４に記載の方法。
[Ｃ２９]
前記第１の搬送波内のユーザが時間によって分離され、前記第２の搬送波上の前記ユーザが周波数によって分離される、Ｃ２８に記載の方法。
[Ｃ３０]
前記第１の搬送波がＦＤＤを利用し、前記第２の搬送波がＴＤＤを利用する、Ｃ１４に記載の方法。
[Ｃ３１]
少なくとも前記第１の搬送波または前記第２の搬送波が、少なくともコード、時間、または周波数を利用して、順方向リンク伝送と逆方向リンク伝送とを分離する、Ｃ１４に記載の方法。
[Ｃ３２]
前記第１の搬送波および前記第２の搬送波が、異なる方式で順方向リンク伝送と逆方向リンク伝送とを分離する、Ｃ３１に記載の方法。
[Ｃ３３]
前記第１の搬送波の帯域幅が第１のスケーリング係数を利用してスケーリングされ、前記第２の搬送波の帯域幅が第２のスケーリング係数を利用してスケーリングされる、Ｃ１４に記載の方法。
[Ｃ３４]
少なくとも前記第１のスケーリング係数または前記第２のスケーリング係数が動的に調整される、Ｃ３３に記載の方法。
[Ｃ３５]
少なくとも前記第１のスケーリング係数または前記第２のスケーリング係数を動的に調整することが、予測されるトラフィック需要に基づく、Ｃ３４に記載の方法。
[Ｃ３６]
トラフィックデータを第３の搬送波上で少なくとも送信または受信することと、
シグナリングデータを前記第２の搬送波上で送信することをさらに備え、前記第２の搬送波が少なくとも前記第１の搬送波または前記第３の搬送波に関する情報を搬送する、Ｃ１４に記載の方法。
[Ｃ３７]
トラフィックデータを第３の搬送波上で少なくとも送信または受信することと、
シグナリングデータを第４の搬送波上で送信することをさらに備え、前記第４の搬送波が少なくとも前記第１の搬送波または前記第３の搬送波に関する情報を搬送し、前記第２の搬送波が少なくとも前記第１の搬送波または前記第３の搬送波に関する情報を搬送する、Ｃ１４に記載の方法。
[Ｃ３８]
少なくとも前記トラフィックデータもしくは前記シグナリングデータを少なくとも送信または受信することが基地局で生じる、Ｃ１４に記載の方法。
[Ｃ３９]
少なくとも前記トラフィックデータもしくは前記シグナリングデータを少なくとも送信または受信することがモバイルデバイスで生じる、Ｃ１４に記載の方法。
[Ｃ４０]
シグナリングデータを第１の搬送波上で受信するための手段と、
シグナリングデータを前記第１の搬送波上で受信することからトラフィックデータを第２の搬送波上で少なくとも送信または受信することに遷移させるための手段と
を備える無線通信システム。
[Ｃ４１]
前記トラフィックデータを前記第２の搬送波上で少なくとも送信または受信することから前記シグナリングデータを前記第１の搬送波上で受信することへの遷移を行うための手段
をさらに備える、Ｃ４０に記載の無線通信システム。
[Ｃ４２]
前記第１の搬送波が第１の帯域幅を利用し、前記第２の搬送波が第２の帯域幅を利用し、
第１のスケーリング係数を利用して、前記第１の帯域幅をスケーリングするための手段と、
第２のスケーリング係数を利用して、前記第２の帯域幅をスケーリングするための手段と
をさらに備える、Ｃ４０に記載の無線通信システム。
[Ｃ４３]
少なくとも前記第１のスケーリング係数または前記第２のスケーリング係数を動的に調整するための手段
をさらに備える、Ｃ４２に記載の無線通信システム。
[Ｃ４４]
少なくとも前記第１のスケーリング係数または前記第２のスケーリング係数を動的に調整するための前記手段が、
少なくとも前記第１のスケーリング係数または前記第２のスケーリング係数を予測されるトラフィック需要に基づいて調整するための手段
を備える、Ｃ４３に記載の無線通信システム。
[Ｃ４５]
シグナリングデータを第１の搬送波上で受信するためのコードと、
シグナリングデータを前記第１の搬送波上で受信することからトラフィックデータを第２の搬送波上で少なくとも送信または受信することに遷移させるためのコードと
を備えた非一時的コンピュータ可読媒体
を備える、無線通信システムのためのコンピュータプログラム製品。
[Ｃ４６]
前記非一時的コンピュータ可読媒体が、
前記トラフィックデータを前記第２の搬送波上で少なくとも送信または受信することから前記シグナリングデータを前記第１の搬送波上で受信することへの遷移を行うためのコードをさらに備える、Ｃ４５に記載のコンピュータプログラム製品。
[Ｃ４７]
前記非一時的コンピュータ可読媒体が、
第１のスケーリング係数を利用して、前記第１の搬送波の帯域幅をスケーリングするためのコードと、
第２のスケーリング係数を利用して、前記第２の搬送波の帯域幅をスケーリングするためのコードと
をさらに備える、Ｃ４５に記載のコンピュータプログラム製品。
[Ｃ４８]
前記非一時的コンピュータ可読媒体が、
少なくとも前記第１のスケーリング係数または前記第２のスケーリング係数を動的に調整するためのコード
をさらに備える、Ｃ４７に記載のコンピュータプログラム製品。
[Ｃ４９]
少なくとも前記第１のスケーリング係数または前記第２のスケーリング係数を動的に調整するためのコードをさらに備えた前記非一時的コンピュータ可読媒体が、
少なくとも前記第１のスケーリング係数または前記第２のスケーリング係数を予測されるトラフィック需要に基づいて調整するためのコードをさらに備える、Ｃ４８に記載のコンピュータプログラム製品。
[Ｃ５０]
シグナリングデータを第１の搬送波上で受信し、
シグナリングデータを前記第１の搬送波上で受信することからトラフィックデータを第２の搬送波上で少なくとも送信または受信することに遷移させるように構成された、少なくとも１つのプロセッサと、
前記少なくとも１つのプロセッサと結合された、少なくとも１つのメモリと
を備える無線通信デバイス。
[Ｃ５１]
前記少なくとも１つのプロセッサが、
前記トラフィックデータを前記第２の搬送波上で少なくとも送信または受信することから前記シグナリングデータを前記第１の搬送波上で受信することへの遷移を行うようにさらに構成される、Ｃ５０に記載の無線通信デバイス。
[Ｃ５２]
前記少なくとも１つのプロセッサが、
第１のスケーリング係数を利用して、前記第１の搬送波の帯域幅をスケーリングし、
第２のスケーリング係数を利用して、前記第２の搬送波の帯域幅をスケーリングするようにさらに構成される、Ｃ５０に記載の無線通信デバイス。
[Ｃ５３]
前記少なくとも１つのプロセッサが、
少なくとも前記第１のスケーリング係数または前記第２のスケーリング係数を動的に調整するようにさらに構成される、Ｃ５２に記載の無線通信デバイス。
[Ｃ５４]
前記少なくとも１つのプロセッサが、少なくとも前記第１のスケーリング係数または前記第２のスケーリング係数を動的に調整することを行うように構成され、
少なくとも前記第１のスケーリング係数または前記第２のスケーリング係数を予測されるトラフィック需要に基づいて調整するようにさらに構成される、Ｃ５３に記載の無線通信デバイス。
[Ｃ５５]
トラフィックデータを第１の搬送波上で少なくとも送信または受信するための手段と、
シグナリングデータを他のトラフィックデータのいずれからも別に第２の搬送波上で送信するための手段と
を備える無線通信システム。
[Ｃ５６]
前記トラフィックデータを前記第１の搬送波上でモバイルデバイスに少なくとも送信または受信することから前記シグナリングデータを前記第２の搬送波上で前記モバイルデバイスに送信することに遷移させるための手段をさらに備える、Ｃ５５に記載の無線通信システム。
[Ｃ５７]
前記シグナリングデータを前記第２の搬送波上で前記モバイルデバイスに送信することから前記トラフィックデータを前記第１の搬送波上で前記モバイルデバイスに少なくとも送信または受信することに遷移させるための手段をさらに備える、Ｃ５６に記載の無線通信システム。
[Ｃ５８]
前記トラフィックデータを前記第１の搬送波上で少なくとも送信または受信すること、およびシグナリングデータを前記第２の搬送波上で送信することへの遷移を行うための手段をさらに備える、Ｃ５５に記載の無線通信システム。
[Ｃ５９]
前記トラフィックデータを第３の搬送波上で少なくとも送信または受信するための手段と、
シグナリングデータを前記第２の搬送波上で送信するための手段であって、前記第２の搬送波が少なくとも前記第１の搬送波または前記第２の搬送波に関する情報を搬送する、送信するための手段と
をさらに備える、Ｃ５５に記載の無線通信システム。
[Ｃ６０]
トラフィックデータを第１の搬送波上で少なくとも送信または受信するためのコードと、
シグナリングデータを他のトラフィックデータのいずれからも別に第２の搬送波上で送信するためのコードと
を備えた非一時的コンピュータ可読媒体を備える、無線通信システムのためのコンピュータプログラム製品。
[Ｃ６１]
前記非一時的コンピュータ可読媒体が、
前記トラフィックデータを前記第１の搬送波上でモバイルデバイスに少なくとも送信または受信することから前記シグナリングデータを前記第２の搬送波上で前記モバイルデバイスに送信することに遷移させるためのコードをさらに備える、Ｃ６０に記載のコンピュータプログラム製品。
[Ｃ６２]
前記非一時的コンピュータ可読媒体が、
前記シグナリングデータを前記第２の搬送波上で前記モバイルデバイスに送信することから前記トラフィックデータを前記第１の搬送波上で前記モバイルデバイスに少なくとも送信または受信することに遷移させるためのコードをさらに備える、Ｃ６１に記載の無線通信システム。
[Ｃ６３]
前記非一時的コンピュータ可読媒体が、
前記トラフィックデータを前記第１の搬送波上で少なくとも送信または受信すること、およびシグナリングデータを前記第２の搬送波上で送信することへの遷移を行うためのコードをさらに備える、Ｃ６０に記載のコンピュータプログラム製品。
[Ｃ６４]
前記非一時的コンピュータ可読媒体が、
トラフィックデータを第３の搬送波上で少なくとも送信または受信するためのコードと、
シグナリングデータを前記第２の搬送波上で送信するためのコードであって、前記第２の搬送波が少なくとも前記第１の搬送波または前記第３の搬送波に関する情報を搬送する、送信するためのコードと
をさらに備えるＣ６０に記載のコンピュータプログラム製品。
[Ｃ６５]
トラフィックデータを第１の搬送波上で少なくとも送信または受信し、
シグナリングデータを他のトラフィックデータのいずれからも別に第２の搬送波上で送信するように構成された、少なくとも１つのプロセッサと、
前記少なくとも１つのプロセッサに結合された、少なくとも１つのメモリと
を備える無線通信デバイス。
[Ｃ６６]
前記少なくとも１つのプロセッサが、
前記トラフィックデータを前記第１の搬送波上でモバイルデバイスに少なくとも送信または受信することから前記シグナリングデータを前記第２の搬送波上で前記モバイルデバイスに送信することに遷移させるようにさらに構成される、Ｃ６５に記載の無線通信デバイス。
[Ｃ６７]
前記少なくとも１つのプロセッサが、
前記シグナリングデータを前記第２の搬送波上で前記モバイルデバイスに送信することから前記トラフィックデータを前記第１の搬送波上で前記モバイルデバイスに送信することに遷移させるようにさらに構成される、Ｃ６６に記載の無線通信デバイス。
[Ｃ６８]
前記少なくとも１つのプロセッサが、
前記トラフィックデータを前記第１の搬送波上で少なくとも送信または受信すること、およびシグナリングデータを前記第２の搬送波上で送信することへの遷移を行うようにさらに構成される、Ｃ６５に記載の無線通信デバイス。
[Ｃ６９]
前記少なくとも１つのプロセッサが、
トラフィックデータを第３の搬送波上で少なくとも送信または受信することと、
シグナリングデータを前記第２の搬送波上で送信することであって、前記第２の搬送波が少なくとも前記第１の搬送波または前記第３の搬送波に関する情報を搬送する、送信することと
を行うようにさらに構成される、Ｃ６５に記載の無線通信デバイス。
【外国語明細書】
2019004473000001.pdf